(57)【要約】【課題】よりよい仕上がりの写真シールを提供する。【解決手段】レイアウト情報生成部３２１は、利用者を被写体として撮影して得られる撮影画像に合成用画像を合成した合成画像や、その合成画像に落書き編集処理を施した編集済み画像の縦横比を1.2：１としてシール紙に配置させて印刷させるためのレイアウト情報を生成する。これにより、縦横比が1.2：１である画像が配置されたシール紙が印刷される。本発明は、例えば、写真シール作成装置に適用することができる。【選択図】図１２
2012237959.tif 000002
【特許請求の範囲】
【請求項１】
利用者を被写体として撮影し、得られた画像に対して利用者に編集入力を行わせ、前記画像を所定のシール紙に印刷して写真シールを作成し、成果物として前記写真シールを前記利用者に提供する写真シール作成装置であって、
前記利用者を被写体として撮影して得られる撮影画像の縦横比を略1.2：１として前記シール紙に配置させて印刷させるためのレイアウト情報を生成するレイアウト情報生成手段と、
前記レイアウト情報に基づいて、前記撮影画像を前記シール紙に印刷する印刷手段と
を備える写真シール作成装置。
【請求項２】
複数の前記撮影画像のうちの少なくとも１枚を前記利用者に選択させる撮影画像選択手段をさらに備え、
前記レイアウト情報生成手段は、複数の前記撮影画像に加え、前記利用者に選択された少なくとも１枚の前記撮影画像の縦横比を略1.2：１として前記シール紙に配置させて印刷させるための前記レイアウト情報を生成する
請求項１に記載の写真シール作成装置。
【請求項３】
前記シール紙に前記撮影画像が配置される領域以外の領域に印刷される画像である領域外画像を決定する領域外画像決定手段をさらに備え、
前記レイアウト情報生成手段は、前記撮影画像と前記領域外画像とを配置させて印刷させるための前記レイアウト情報を生成する
請求項１または２に記載の写真シール作成装置。
【請求項４】
前記領域外画像選択手段は、前記利用者の選択に応じて前記領域外画像を決定する
請求項３に記載の写真シール作成装置。
【請求項５】
前記領域外画像決定手段は、前記撮影画像に合成される合成用画像の色に応じた前記領域外画像を前記利用者に選択させて決定し、
前記レイアウト情報生成手段は、前記撮影画像に前記合成用画像が合成された合成画像と前記領域外画像とを配置させて印刷させるための前記レイアウト情報を生成する
請求項４に記載の写真シール作成装置。
【請求項６】
前記領域外画像決定手段は、前記領域外画像を前記利用者に選択させる前に、前記領域外画像の色を、前記利用者に選択させる
請求項４に記載の写真シール作成装置。
【請求項７】
前記領域外画像決定手段は、前記撮影画像に合成される合成用画像の色の分類に基づいて、前記領域外画像を決定する
請求項３に記載の写真シール作成装置。
【請求項８】
前記レイアウト情報生成手段は、複数の前記撮影画像の被写体の向きが同一の向きとなるように、前記撮影画像を前記シール紙に配置させて印刷させるための前記レイアウト情報を生成する
請求項１に記載の写真シール作成装置。
【請求項９】
利用者を被写体として撮影し、得られた画像に対して利用者に編集入力を行わせ、前記画像を所定のシール紙に印刷して写真シールを作成し、成果物として前記写真シールを前記利用者に提供する写真シール作成装置の写真シール作成方法であって、
前記利用者を被写体として撮影して得られる撮影画像の縦横比を略1.2：１として前記シール紙に配置させて印刷させるためのレイアウト情報を生成するレイアウト情報生成ステップと、
前記レイアウト情報に基づいて、前記撮影画像を前記シール紙に印刷する印刷ステップと
を含む写真シール作成方法。
【請求項１０】
利用者を被写体として撮影し、得られた画像に対して利用者に編集入力を行わせ、前記画像を所定のシール紙に印刷して写真シールを作成し、成果物として前記写真シールを前記利用者に提供する処理をコンピュータに実行させるプログラムであって、
前記利用者を被写体として撮影して得られる撮影画像の縦横比を略1.2：１として前記シール紙に配置させて印刷させるためのレイアウト情報の生成を制御するレイアウト情報生成制御ステップと、
前記レイアウト情報に基づいて、前記撮影画像の前記シール紙への印刷を制御する印刷制御ステップと
を含む処理をコンピュータに実行させるプログラム。
【発明の詳細な説明】
【技術分野】
【０００１】
本発明は、写真シール作成装置および方法、並びにプログラムに関し、特に、よりよい仕上がりのシール紙を提供することができるようにする写真シール作成装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
この写真シール機は、複数人の利用者に利用され、その利用者は、写真シールの作成作業をゲームとして楽しむだけでなく、出力される様々なサイズの編集済み画像が印刷されている写真シールを仲間同士で切り分け合って、それぞれの所持品に貼り付けたりしている。
【０００５】
このようにして作成される写真シールには様々な形状があり、利用者の所望の形状に応じた印刷画像が印刷された写真シールを作成するために、様々な写真シール機が提案されている。
【０００６】
例えば、被写体の顔および上半身を中心として撮影した印刷画像を長方形の形状で印刷した写真シールや、その長方形の形状からなる撮影の印刷画像を２枚分縦方向に接続して印刷した写真シールを提供する写真シール機がある（例えば、特許文献１参照）。
【０００７】
また、上述したような長方形の形状からなる印刷画像と、被写体の顔を中心として撮影した正方形の形状からなる印刷画像とがシール紙に印刷されるレイアウトパターンを選択させるようにした写真シール機がある。
【０００８】
さらに、同一の撮影画像を、長方形の形状からなる印刷画像と正方形の形状からなる印刷画像としてシール紙に配置するようにした写真シール機が提案されている。
【先行技術文献】
【特許文献】
【０００９】
【特許文献１】特開２００８−１５８３８９号公報
【発明の概要】
【発明が解決しようとする課題】
【００１０】
写真シール機で印刷される写真シールの印刷画像としては、正方形の画像、または、縦横の比率が√２：１となる長方形の画像が一般的であるため、編集時における長方形と正方形の編集対象画像の大きさを比較した場合、その比率から正方形の編集対象画像のほうが、長方形の編集対象画像よりも編集可能なスペースが少なくなるため、利用者の編集に対する満足度が低下する場合があった。
【００１１】
また、長方形の編集対象画像は、正方形の編集対象画像よりも編集可能なスペースが多く、利用者の編集に対する満足度を高めることができるが、画像全体に対する顔の割合が小さくなるので、印刷画像の仕上がりに対する満足度が低下する場合があった。
【００１２】
さらに、同一画像が正方形の印刷画像と長方形の印刷画像として配置された写真シールは、仲間同士で切り分け合う利用者にとっては満足度の高いものとなるが、写真シール切り分けずに記念として残しておきたい利用者にとっては、同一画像が複数ある必要がなく、決して満足度の高いものとは言えなかった。
【００１３】
本発明は、このような状況に鑑みてなされたものであり、よりよい仕上がりの写真シールを提供することができるようにするものである。
【課題を解決するための手段】
【００１４】
本発明の一側面の写真シール作成装置は、利用者を被写体として撮影し、得られた画像に対して利用者に編集入力を行わせ、前記画像を所定のシール紙に印刷して写真シールを作成し、成果物として前記写真シールを前記利用者に提供する写真シール作成装置であって、前記利用者を被写体として撮影して得られる撮影画像の縦横比を略1.2：１として前記シール紙に配置させて印刷させるためのレイアウト情報を生成するレイアウト情報生成手段と、前記レイアウト情報に基づいて、前記撮影画像を前記シール紙に印刷する印刷手段とを備える。
【００１５】
前記写真シール作成装置には、複数の前記撮影画像のうちの少なくとも１枚を前記利用者に選択させる撮影画像選択手段をさらに設け、前記レイアウト情報生成手段は、複数の前記撮影画像に加え、前記利用者に選択された少なくとも１枚の前記撮影画像の縦横比を略1.2：１として前記シール紙に配置させて印刷させるための前記レイアウト情報を生成させることができる。
【００１６】
前記写真シール作成装置には、前記シール紙に前記撮影画像が配置される領域以外の領域に印刷される画像である領域外画像を決定する領域外画像決定手段をさらに設け、前記レイアウト情報生成手段には、前記撮影画像と前記領域外画像とを配置させて印刷させるための前記レイアウト情報を生成させることができる。
【００１７】
前記領域外画像選択手段には、前記利用者の選択に応じて前記領域外画像を決定させることができる。
【００１８】
前記領域外画像決定手段には、前記撮影画像に合成される合成用画像の色に応じた前記領域外画像を前記利用者に選択させて決定させ、前記レイアウト情報生成手段は、前記撮影画像に前記合成用画像が合成された合成画像と前記領域外画像とを配置させて印刷させるための前記レイアウト情報を生成させることができる。
【００１９】
前記領域外画像決定手段には、前記領域外画像を前記利用者に選択させる前に、前記領域外画像の色を、前記利用者に選択させることができる。
【００２０】
前記領域外画像決定手段には、前記撮影画像に合成される合成用画像の色の分類に基づいて、前記領域外画像を決定させることができる。
【００２１】
前記レイアウト情報生成手段には、複数の前記撮影画像の被写体の向きが同一の向きとなるように、前記撮影画像を前記シール紙に配置させて印刷させるための前記レイアウト情報を生成させることができる。
【００２２】
本発明の一側面の写真シール作成方法は、利用者を被写体として撮影し、得られた画像に対して利用者に編集入力を行わせ、前記画像を所定のシール紙に印刷して写真シールを作成し、成果物として前記写真シールを前記利用者に提供する写真シール作成装置の写真シール作成方法であって、前記利用者を被写体として撮影して得られる撮影画像の縦横比を略1.2：１として前記シール紙に配置させて印刷させるためのレイアウト情報を生成するレイアウト情報生成ステップと、前記レイアウト情報に基づいて、前記撮影画像を前記シール紙に印刷する印刷ステップとを含む。
【００２３】
本発明の一側面のプログラムは、利用者を被写体として撮影し、得られた画像に対して利用者に編集入力を行わせ、前記画像を所定のシール紙に印刷して写真シールを作成し、成果物として前記写真シールを前記利用者に提供する処理をコンピュータに実行させるプログラムであって、前記利用者を被写体として撮影して得られる撮影画像の縦横比を略1.2：１として前記シール紙に配置させて印刷させるためのレイアウト情報の生成を制御するレイアウト情報生成制御ステップと、前記レイアウト情報に基づいて、前記撮影画像の前記シール紙への印刷を制御する印刷制御ステップとを含む処理をコンピュータに実行させる。
【００２４】
本発明においては、利用者を被写体として撮影して得られる撮影画像の縦横比を略1.2：１としてシール紙に配置させて印刷させるためのレイアウト情報が生成され、レイアウト情報に基づいて、撮影画像がシール紙に印刷される。
【発明の効果】
【００２５】
本発明によれば、よりよい仕上がりの写真シールを提供することが可能となる。
【図面の簡単な説明】
【００２６】
【図１】写真シール作成装置の外観の構成例を示す斜視図である。
【図２】カーテンを取り付けた状態の写真シール作成装置の外観を示す斜視図である。
【図３】写真シール作成装置の外観を他の角度からみた斜視図である。
【図４】利用者の移動について説明する図である。
【図５】撮影部の構成例を示す図である。
【図６】撮影部の色について説明する図である。
【図７】背景部の構成例を示す図である。
【図８】編集部の構成例を示す図である。
【図９】事後接客部の構成例を示す図である。
【図１０】写真シール作成装置の内部の構成例を示すブロック図である。
【図１１】制御部の詳細な構成例を示す機能ブロック図である。
【図１２】編集処理部の詳細な構成例を示す機能ブロック図である。
【図１３】写真シール作成ゲームを提供する処理について説明するフローチャートである。
【図１４】編集および印刷設定処理の流れの例を説明するフローチャートである。
【図１５】分割パターン選択画面の例を示す図である。
【図１６】選択画像選択画面の例を示す図である
【図１７】印刷処理の流れの例を説明するフローチャートである。
【図１８】印刷されたシール紙の例を示す図である。
【図１９】印刷されたシール紙の例を示す図である。
【図２０】従来の印刷画像と本発明の印刷画像との比較について説明する図である。
【図２１】分割パターン選択画面の他の例を示す図である。
【図２２】選択画像選択画面の他の例を示す図である
【図２３】印刷されたシール紙の例を示す図である。
【図２４】編集および印刷設定処理の流れの他の例を説明するフローチャートである。
【図２５】編集および印刷設定処理の流れのさらに他の例を説明するフローチャートである。
【図２６】分割パターン選択画面および選択画像選択画面の他の例を示す図である。
【図２７】編集および印刷設定処理の流れのさらに他の例を説明するフローチャートである。
【図２８】選択画像選択画面およびデザイン画像選択画面の他の例を示す図である。
【図２９】印刷されたシール紙の例を示す図である。
【図３０】印刷されたシール紙の例を示す図である。
【図３１】編集および印刷設定処理の流れのさらに他の例を説明するフローチャートである。
【図３２】分割パターン選択画面および選択画像選択画面の他の例を示す図である。
【図３３】デザイン画像選択画面の他の例を示す図である。
【図３４】編集および印刷設定処理の流れのさらに他の例を説明するフローチャートである。
【図３５】デザイン画像選択画面の他の例を示す図である。
【図３６】編集および印刷設定処理の流れのさらに他の例を説明するフローチャートである。
【図３７】分割パターン選択画面の他の例を示す図である。
【図３８】編集および印刷設定処理の流れのさらに他の例を説明するフローチャートである。
【図３９】分割パターン選択画面の他の例を示す図である。
【図４０】印刷されたシール紙の例を示す図である。
【図４１】印刷されたシール紙の例を示す図である。
【図４２】写真シール作成装置の他の外観の構成例を示す斜視図である。
【図４３】カーテンを取り付けた状態の図４２の写真シール作成装置の外観を示す斜視図である。
【図４４】図４２の写真シール作成装置の外観を他の角度からみた斜視図である。
【図４５】利用者の移動について説明する図である。
【図４６】編集部の正面の構成例を示す図である。
【図４７】編集部の側面の構成例を示す図である。
【図４８】事中接客部の構成例を示す図である。
【図４９】図４２の写真シール作成装置の内部の構成例を示すブロック図である。
【図５０】写真シール作成ゲームを提供する処理について説明するフローチャートである。
【発明を実施するための形態】
【００２７】
＜第１の実施の形態＞
［写真シール作成装置の外観構成］
図１は、本発明の一実施形態に係る写真シール作成装置１の外観の構成例を示す斜視図である。
【００２８】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２９】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３０】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３１】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３２】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３３】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図３）から構成される。
【００３４】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３５】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３６】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。なお、複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【００３７】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３８】
図２に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００３９】
また、図２に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００４０】
図１の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４１】
図１に示す編集部１２の構成を正面側の構成とすると、２組の利用者が同時に編集処理を行うことができるように、編集部１２の正面側と背面側には編集処理に用いられる構成がそれぞれ設けられる。
【００４２】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図３）が設けられる。
【００４３】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４４】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４５】
図３は、写真シール作成装置１を別の角度から見た斜視図である。
【００４６】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４７】
図３に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４８】
ここで、写真シール作成ゲームの流れと、それに伴う利用者の移動について図４を参照して説明する。図４は、写真シール作成装置１を上から見た平面図である。
【００４９】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５０】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５１】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５２】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５３】
画像の印刷が終了したとき、利用者は、事後接客部１３に設けられた排出口からシール紙を受け取り、一連の写真シール作成ゲームを終えることになる。
【００５４】
［各装置の構成］
次に、各装置の構成について説明する。
【００５５】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５６】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５７】
正面パネル４１のほぼ中央には撮影・表示ユニット８１が設けられる。撮影・表示ユニット８１は、カメラ９１、正面ストロボ９２、およびタッチパネルモニタ９３から構成される。
【００５８】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５９】
カメラ９１を囲むように発光面が設けられた正面ストロボ９２は、他のストロボと同様にカメラ９１による撮影に合わせて発光し、被写体としての利用者の顔付近を正面から照射する。
【００６０】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００６１】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６２】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６３】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００６４】
足元ストロボ８６の右側には、利用者がお金を投入する硬貨投入返却口８７が設けられる。
【００６５】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６６】
このような構成を有する撮影部２１の各部のうち、正面パネル４１、側面パネル４２Ａ、側面パネル４２Ｂ、およびベース部４３の撮影空間Ａ１に面する部分の色と、連結部２３Ａ、連結部２３Ｂの内側の色は、図６に色を付して示すように黒色などの暗い色とされる。図２を参照して説明したように、撮影空間Ａ１の天井前方の開口に取り付けられる天井前方カーテン６１の内側の色と、出入り口Ｇ１およびＧ２に取り付けられるカーテンの内側の色が暗い色であることもあって、撮影空間Ａ１の前方の色は全体的に暗い色となる。
【００６７】
後述するように、背景部２２には撮影空間Ａ１にいる利用者を背面側から照射するストロボが設けられる。撮影空間Ａ１の前方の色を全体的に暗い色にすることによって、背景部２２に設けられるストロボからの光が撮影空間Ａ１内で反射し、利用者を照射してしまうことを防ぐことができ、意図した明るさで撮影を行うことが可能になる。
【００６８】
すなわち、背景部２２の両端に設けられたストロボからの光のうち、利用者にあたらない光の反射は出入り口Ｇ１およびＧ２に取り付けられた側面カーテンの内側で防ぐことができる。また、撮影部２１の正面に設けられた例えば下ストロボ８５からの光のうち、利用者にあたらない光の反射は天井前方カーテン６１の内側で防ぐことができる。撮影部２１の正面に設けられた左ストロボ８３および右ストロボ８４からの光のうち、利用者にあたらない光の反射は側面パネル４２Ａ、側面パネル４２Ｂの内側で防ぐことができる。
【００６９】
また、図２を参照して説明したように、撮影空間Ａ１の天井後方の開口に取り付けられる天井後方カーテン６２の内側の色は明るい色である。背景カーテンとして明るい色のカーテンを選択することによって、撮影空間Ａ１の後方の色は全体的に明るい色となる。
【００７０】
撮影空間Ａ１の後方の色を全体的に明るい色にすることによって、撮影部２１に設けられるストロボからの光を撮影空間Ａ１内で反射させ、利用者を後方から照射することが可能になる。利用者を後方から照射して撮影を行うことによって、逆光で撮影したときと同様に、利用者の輪郭が柔らかい雰囲気で写っている画像を撮影することが可能になる。また、撮影画像から抽出した利用者の部分を他の画像と合成する場合などにクロマキ処理が行われるが、背景を明るくすることによってクロマキ処理を正しく行うことが可能になる。
【００７１】
図７は、背景部２２の撮影空間Ａ１側の構成例を示す図である。
【００７２】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００７３】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００７４】
図８は、編集部１２の正面側（編集空間Ａ２−１側）の構成例を示す図である。
【００７５】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７６】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７７】
編集部１２の左側には事後接客部１３が設けられる。
【００７８】
図９は、事後接客部１３の正面側の構成例を示す図である。
【００７９】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００８０】
タブレット内蔵モニタ１６１の下には非接触型ICリーダ／ライタ１６３が設けられ、非接触型ICリーダ／ライタ１６３の下には写真シール排出口１６４が設けられる。写真シール排出口１６４の下にはスピーカ１６５が設けられる。
【００８１】
非接触型ICリーダ／ライタ１６３は、近接された非接触型ICと通信を行い、非接触型ICからのデータの読み出しや非接触型ICに対するデータの書き込みを行う。
【００８２】
写真シール排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８３】
スピーカ１６５は、事後接客処理の案内音声、BGM、効果音等の音を出力する。
【００８４】
［写真シール作成装置の内部構成］
次に、写真シール作成装置１の内部構成について説明する。図１０は、写真シール作成装置１の内部の構成例を示すブロック図である。上述した構成と同じ構成には同じ符号を付してある。重複する説明については適宜省略する。
【００８５】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００８６】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８７】
通信部２０３はインターネットなどのネットワークのインタフェースであり、制御部２０１による制御に従って外部の装置と通信を行う。
【００８８】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８９】
ROM２０６には、制御部２０１において実行されるプログラムやデータが記憶されている。RAM２０７は、制御部２０１が処理するデータやプログラムを一時的に記憶する。
【００９０】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００９１】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００９２】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９３】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００９４】
カメラ９１は、制御部２０１による制御に従って撮影を行い、撮影によって得られた画像を制御部２０１に出力する。
【００９５】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９６】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９７】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９８】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、写真シール排出口１６４に排出する。一点鎖線で囲んで示す事後接客部２１０と印刷部２１１が、事後接客空間Ａ３にいる利用者を相手とした処理を行う構成となる。
【００９９】
［制御部の構成］
次に、制御部２０１について説明する。図１１は、制御部２０１がROM２０６などに格納されているプログラムを実行することにより実現される機能ブロックの構成例を示している。
【０１００】
制御部２０１は、利用者グループを撮影する等の写真シール作成ゲームの撮影作業の工程に関する処理を行う撮影処理部３０２、撮影画像に対する落書き編集等の写真シール作成ゲームの編集作業の工程に関する処理を行う編集処理部３０３、シール紙の印刷等の写真シール作成ゲームの印刷の工程に関する処理を行う印刷処理部３０４、および、編集作業を終了した利用者グループを接客する写真シール作成ゲームの事後接客の工程に関する処理を行う事後接客処理部３０５を有する。
【０１０１】
つまり、制御部２０１は、写真シール作成ゲームの各工程に関する処理の制御を行う。
【０１０２】
［編集処理部の構成］
図１２は、図１１の編集処理部３０３のさらに詳細な構成例を示す機能ブロック図である。
【０１０３】
図１１の編集処理部３０３は、写真シール作成ゲームの編集作業の工程において、利用者による、撮影作業の工程において得られた撮影画像に対する落書き編集に関する処理に加え、印刷作業の工程における印刷についての設定に関する処理を行う。
【０１０４】
編集処理部３０３は、進行制御部３１１、編集準備処理部３１２、合成用画像選択制御部３１３、合成画像処理部３１４、入力受付制御部３１５、編集画面表示制御部３１６、落書き編集処理部３１７、分割パターン選択制御部３１８、デザイン画像決定部３１９、編集済み画像選択制御部３２０、およびレイアウト情報生成部３２１から構成される。
【０１０５】
進行制御部３１１は、編集作業の工程の進行を制御する。
【０１０６】
編集準備処理部３１２は、編集対象画像の選択等、編集の準備に関する処理を行う。
【０１０７】
合成用画像選択制御部３１３は、背景や前景などからなる合成用画像をタブレット内蔵モニタ１３１に表示して、利用者により行われる合成用画像の選択に関する処理を行う。
【０１０８】
合成画像処理部３１４は、編集対象画像に対する合成用画像の合成等、合成画像の生成に関する処理を行う。
【０１０９】
入力受付制御部３１５は、タブレット内蔵モニタ１３１を制御し、タブレット内蔵モニタ１３１に表示される各種のGUIに対して利用者により行われる操作入力を受け付ける処理を行う。
【０１１０】
編集画面表示制御部３１６は、タブレット内蔵モニタ１３１に表示される編集画面の表示や、その編集画面上における各種のGUIの表示に関する処理を行う。
【０１１１】
落書き編集処理部３１７は、利用者によるタッチペン１３２を用いた入力操作に応じて、編集対象画像に対する落書き編集に関する処理を行う。
【０１１２】
分割パターン選択制御部３１８は、シールレイアウトを決定する写真シールの分割パターンの選択に関する処理を行う。シールレイアウトは、写真シール作成ゲームの一連の処理において最終的に出力される写真シールにおける印刷画像（編集済み画像または合成画像など）の配置を示すものである。
【０１１３】
デザイン画像決定部３１９は、写真シールにおいて印刷画像が配置される領域以外の領域に印刷される画像（領域外画像）であるデザイン画像の決定に関する処理を行う。
【０１１４】
編集済み画像選択制御部３２０は、写真シールにおいて配置される印刷画像に加えて配置される、編集済み画像の利用者による選択に関する処理を行う。
【０１１５】
レイアウト情報生成部３２１は、シールレイアウトについての情報であるレイアウト情報の生成に関する処理を行う。
【０１１６】
［写真シール作成装置の動作］
次に、図１３のフローチャートを参照して、写真シール作成ゲームを提供する写真シール作成装置１の処理について説明する。
【０１１７】
ステップＳ１において、写真シール作成装置１の制御部２０１は、所定の金額分の硬貨が投入されたか否かを硬貨処理部２２１から供給される信号に基づいて判定し、投入されたと判定するまで待機する。
【０１１８】
硬貨が投入されたとステップＳ１において判定した場合、ステップＳ２において、撮影処理部３０２は、撮影部２０８を制御し、カメラ９１に取り込まれた被写体の動画像をタッチパネルモニタ９３にライブビュー表示させ、撮影空間Ａ１にいる利用者を被写体として撮影する本撮影処理を行う。写真シール作成装置１による撮影処理は、ステップＳ２の本撮影処理とステップＳ３の被写体の画像処理からなる。
【０１１９】
ステップＳ３において、撮影処理部３０２は、被写体の画像処理を行う。被写体の画像処理により、本撮影処理によって得られた撮影画像に写る被写体の目のサイズの選択や、撮影画像の明るさの調整などの各種の処理が行われる。
【０１２０】
ステップＳ４において、撮影処理部３０２は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１２１】
ステップＳ５において、編集処理部３０３は、編集空間Ａ２−１と編集空間Ａ２−２のうち、撮影処理を終えた利用者の移動先とした方の編集空間に対応する編集部２０９を制御し、編集および印刷設定処理を行う。編集および印刷設定処理については図１４のフローチャートを参照して後述する。
【０１２２】
ステップＳ６において、編集処理部３０３は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１２３】
ステップＳ７において、印刷処理部３０４は、利用者により選択された画像をプリンタ２４１に出力してシール紙に印刷させる印刷処理を行う。印刷処理については図１７のフローチャートを参照して後述する。
【０１２４】
ステップＳ８において、事後接客処理部３０５は、事後接客部２１０を制御し、印刷終了待機中の利用者に対する事後接客処理を行う。例えば、撮影画像や編集済みの画像を携帯端末に送信する処理を事後接客処理として行う場合、事後接客処理部３０５は、携帯端末の電子メールアドレスの入力画面や、送信する画像の選択画面をタブレット内蔵モニタ１６１に表示させ、利用者による操作に応じて画像を送信する。また、ミニゲームを利用者に行わせる処理を事後接客処理として行う場合、事後接客処理部３０５は、ミニゲームの画面をタブレット内蔵モニタ１６１に表示させる。アンケートに答えさせる処理を事後接客処理として行う場合、制御部２０１は、アンケート画面をタブレット内蔵モニタ１６１に表示させ、利用者による回答を取得する。
【０１２５】
印刷が終了すると、ステップＳ９において、事後接客処理部３０５は、印刷が終了した旨をタブレット内蔵モニタ１６１に表示させ、プリンタ２４１は、画像が印刷されたシール紙を写真シール排出口１６４に排出し、処理を終了させる。
【０１２６】
［編集および印刷設定処理の例］
次に、図１４のフローチャートを参照して、上述した写真シール作成ゲームの一連の処理におけるステップＳ５の編集および印刷設定処理の流れの例を説明する。
【０１２７】
編集および印刷設定処理が開始されると、ステップＳ３１において、編集準備処理部３１２は、撮影部２０８によって得られた撮影画像を記憶部２０２から取得し、タブレット内蔵モニタ１３１に表示させることで、撮影画像の中から、例えば６枚の編集対象画像を利用者に選択させ、保存する。
【０１２８】
ステップＳ３２において、合成用画像選択制御部３１３は、予め用意されている、撮影画像に合成される前景や背景の画像である合成用画像の色味群を選択させるための合成用画像選択画面（GUI）を、タブレット内蔵モニタ１３１に表示する。合成用画像の色味群は、合成用画像の色味（色の感じ）による分類を表し、例えば、ふんわりした色味による分類を表す色味群「パステル」や、くっきりした色味による分類を表す色味群「ビビッド」等がある。
【０１２９】
ステップＳ３３において、合成画像処理部３１４は、撮影画像の画像処理を行う。撮影画像の画像処理は、編集対象画像として選択された撮影画像に合成する、ステップＳ３２において選択された色味群の合成用画像を利用者に選択させ、選択された合成用画像を撮影画像に合成する処理である。
【０１３０】
その後、タブレット内蔵モニタ１３１に編集開始ボタンのGUI画像が表示され、利用者によって、タッチペン１３２が操作されて、その編集開始ボタンが押下操作されると、ステップＳ３４において、編集画面表示制御部３１６は、タブレット内蔵モニタ１３１に、撮影画像に合成用画像が合成された合成画像に対する落書き編集を利用者に入力させるGUI画面である編集画面を表示させる。そして、入力受付制御部３１５は、タブレット内蔵モニタ１３１やタッチペン１３２を制御し、利用者による編集画面に対する落書き編集入力の受け付けを開始する。
【０１３１】
ステップＳ３５において、落書き編集処理部３１７は、利用者のタッチペン１３２の操作によりタブレット内蔵モニタ１３１により供給される入力信号に応じて、合成画像に対する落書き編集を行う。
【０１３２】
ステップＳ３６において、進行制御部３１１は、所定の時間（制限時間）が経過したか、または、終了ボタンが操作されたか否かを判定する。制限時間にも達しておらず、終了ボタンも操作されていないと判定した場合、進行制御部３１１は、処理をステップＳ３５に戻し、それ以降の処理を繰り返す。つまり、進行制御部３１１は、所定の時間が経過した、または、終了ボタンが操作されたと判定されるまで、ステップＳ３５，Ｓ３６の処理を繰り返し、落書き編集入力に対する処理を行う。そして、ステップＳ３６において、所定の時間が経過した、または、終了ボタンが操作されたと判定した場合、進行制御部３１１は、処理をステップＳ３７に進める。
【０１３３】
ステップＳ３７において、進行制御部３１１は、編集画面の表示を終了し、分割パターン選択制御部３１８は、タブレット内蔵モニタ１３１に、シールレイアウトを決定する写真シールの分割パターンを選択させる分割パターン選択画面を表示させ、利用者に分割パターンを選択させる。
【０１３４】
図１５は、分割パターン選択画面の例を示している。
【０１３５】
分割パターンには、シール紙が２枚にカットされて出力されるシールレイアウトを選択させる「２人用」、シール紙が３枚または４枚にカットされて出力されるシールレイアウトを選択させる「３人用・４人用」、シール紙に対して印刷画像のサイズを大きくまたは小さくしたシールレイアウトを選択させる「大分割・小分割」、およびシール紙に配置される複数の印刷画像のうちの一部の印刷画像のサイズを大きくしたシールレイアウトを選択させる「記念日分割」がある。
【０１３６】
図１５の分割パターン選択画面には、それぞれの分割パターンを選択させるためのボタンが表示されている。図１５の例では、分割パターンとして「２人用」が選択されており、２人の利用者がシールレイアウトを選択・決定することができるようになされている。
【０１３７】
ステップＳ３８において、分割パターン選択制御部３１８は、デザイン画像を選択させる分割パターンが選択されたか否かを判定する。
【０１３８】
デザイン画像は、写真シールにおいて印刷画像が配置される領域以外の領域に印刷される画像であり、本実施の形態では、デザイン画像を選択させる分割パターンは、「２人用」および「記念日分割」であるものとする。
【０１３９】
ステップＳ３８において、デザイン画像を選択させる分割パターンが選択されたと判定された場合、すなわち、分割パターンとして、「２人用」または「記念日分割」が選択された場合、ステップＳ３９において、デザイン画像決定部３１９は、ステップＳ３２で選択された合成用画像の色味群に応じたデザイン画像を、分割パターン選択画面に表示させ、利用者に選択させる。ここでは、分割パターンとして、「２人用」が選択されたものとする。
【０１４０】
図１５に示される、分割パターンとして「２人用」が選択されている分割パターン選択画面には、タブレット内蔵モニタ１３１に対して左側の利用者に操作される分割パターン選択操作画面３３１−１と、タブレット内蔵モニタ１３１に対して右側の利用者に操作される分割パターン選択操作画面３３１−２とが表示されている。
【０１４１】
分割パターン選択操作画面３３１−１には、デザイン画像３４１−１、ＯＫボタン３４２−１、および選択済デザイン画像３４３−１が表示されている。
【０１４２】
デザイン画像３４１−１は、上述したように、写真シールにおいて印刷画像が配置される領域以外の領域に印刷される画像（領域外画像）であり、それぞれ色や図柄、文言で装飾されている。デザイン画像３４１−１には、それぞれのシールレイアウトが与えられている。なお、デザイン画像３４１−１には、デザイン画像を有しない、シールレイアウトのみを与える装飾無しデザイン画像も含まれる。
【０１４３】
ここで、本実施の形態において、最終的に出力される写真シールにおける印刷画像の縦横比は、1.2：１または略1.2：１であるものとし、分割パターン選択画面や後述する選択画像選択画面に表示される編集済み画像の縦横比も、1.2：１または略1.2：１であるものとする。
【０１４４】
図１５に示されるデザイン画像３４１−１のシールレイアウトには、編集作業によって落書き編集が行われた例えば６枚の編集済み画像を、１枚ずつ、縦横比を1.2：１として配置させるもの（以下、レイアウトＡという）、６枚の編集済み画像に加え、６枚の編集済み画像から利用者に選択された１枚の編集済み画像を拡大して、縦横比を1.2：１として配置させるもの（以下、レイアウトＢという）、および、６枚の編集済み画像を、例えば２枚ずつ、縦横比を1.2：１として配置させるもの（以下、レイアウトＣという）がある。
【０１４５】
図１５のデザイン画像３４１−１においては、下段の左から１番目および２番目のデザイン画像のシールレイアウトは、レイアウトＡであり、上段の左から１番目、２番目、３番目、および下段の左から３番目のデザイン画像のシールレイアウトは、レイアウトＢであり、上段の左から４番目および下段の左から４番目のデザイン画像（装飾無しデザイン画像）のシールレイアウトは、レイアウトＣである。
【０１４６】
ＯＫボタン３４２−１は、デザイン画像３４１−１のうちの利用者に選択されたデザイン画像を、最終的に出力される写真シールに印刷されるデザイン画像として決定するためのボタンである。選択済デザイン画像３４３−１は、利用者が選択したデザイン画像に、編集作業によって落書き編集が行われた編集済み画像が配置された画像である。なお、選択済デザイン画像３４３−１は、最終的に出力される写真シールと同一の大きさで表示される。
【０１４７】
すなわち、利用者により、デザイン画像３４１−１のうちのいずれかのデザイン画像が選択され決定されることで、最終的に出力される写真シールのシールレイアウトが決定されるようになる。図１５の例では、デザイン画像３４１−１の上段の左から３番目のデザイン画像が選択され決定されて、レイアウトＢの選択済デザイン画像３４３−１が表示されている。
【０１４８】
また、分割パターン選択操作画面３３１−２には、デザイン画像３４１−２、ＯＫボタン３４２−２、および選択済デザイン画像３４３−２が表示されているが、それぞれ、分割パターン選択操作画面３３１−１に表示されている、デザイン画像３４１−１、ＯＫボタン３４２−１、および選択済デザイン画像３４３−１と同一のものであるので、その説明は省略する。
【０１４９】
なお、図１５の例では、デザイン画像３４１−２の上段の左から４番目のデザイン画像（装飾無しデザイン画像）が選択され決定されて、レイアウトＣの選択済デザイン画像３４３−２が表示されている。
【０１５０】
図１４のフローチャートに戻り、ステップＳ４０において、デザイン画像決定部３１９は、ステップＳ３９で、選択画像が配置されるシールレイアウトのデザイン画像が選択されたか否かを判定する。
【０１５１】
ここで、選択画像は、最終的に出力される写真シールに配置される、例えば６枚の編集済み画像以外の、利用者に選択された１枚の編集済み画像のことをいう。すなわち、ステップＳ４０においては、上述したレイアウトＢのデザイン画像が選択されたか否かが判定される。
【０１５２】
ステップＳ４０において、選択画像が配置されるシールレイアウト（レイアウトＢ）のデザイン画像が選択されたと判定された場合、処理はステップＳ４１に進む。
【０１５３】
ステップＳ４１において、編集済み画像選択制御部３２０は、タブレット内蔵モニタ１３１に、選択画像（編集済み画像）を選択させる選択画像選択画面を表示させ、利用者に選択画像を選択させる。
【０１５４】
図１６は、選択画像選択画面の例を示している。
【０１５５】
図１６に示される選択画像選択画面には、タブレット内蔵モニタ１３１に対して左側の利用者に操作される選択画像選択操作画面３５１−１と、タブレット内蔵モニタ１３１に対して右側の利用者に操作される選択画像選択操作画面３５１−２とが表示されている。
【０１５６】
なお、選択画像選択操作画面３５１−２には、左側の利用者の操作が終わるまで右側の利用者を待機させる旨の文言「隣の人が終わるまでちょっと待っててね!!」が表示され、右側の利用者が操作できないようになされている。
【０１５７】
選択画像選択操作画面３５１−１には、選択候補画像３６１、ＯＫボタン３６２、および決定済デザイン画像３６３が表示されている。
【０１５８】
選択候補画像３６１は、例えば６枚の編集済み画像であり、利用者によりいずれか１枚が選択される。ＯＫボタン３６２は、利用者により選択された１枚の編集済み画像を選択画像として決定させる。
【０１５９】
決定済デザイン画像３６３は、図１５の選択済デザイン画像３４３−１と同一の画像である。ただし、選択画像表示領域３６３ａには、利用者がＯＫボタン３６２を操作することにより決定された選択画像が表示される。これにより、最終的に出力される写真シールと全く同一の画像が表示されるようになる。
【０１６０】
図１４のフローチャートに戻り、ステップＳ４０において、選択画像が配置されるシールレイアウト（レイアウトＢ）のデザイン画像が選択されなかったと判定された場合、すなわち、レイアウトＡまたはレイアウトＣのデザイン画像が選択された場合、ステップＳ４１はスキップされ、処理はステップＳ４２に進む。
【０１６１】
また、ステップＳ３８において、デザイン画像を選択させる分割パターンが選択されなかったと判定された場合、すなわち、分割パターンとして、「３人用・４人用」または「大分割・小分割」が選択された場合、ステップＳ３９乃至Ｓ４１はスキップされ、処理はステップＳ４２に進む。
【０１６２】
ステップＳ４２において、進行制御部３１１は、所定の時間が経過したか否かを判定する。所定の時間が経過していないと判定した場合、進行制御部３１１は、処理をステップＳ３７に戻し、それ以降の処理を繰り返す。つまり、進行制御部３１１は、所定の時間が経過したと判定されるまで、ステップＳ３７乃至Ｓ４２の処理を繰り返す。そして、ステップＳ４２において、所定の時間が経過したと判定した場合、進行制御部３１１は、処理をステップＳ４３に進める。
【０１６３】
ステップＳ４３において、進行制御部３１１は、画面の表示を終了し、編集入力の受け付けを終了する。
【０１６４】
ステップＳ４４において、レイアウト情報生成部３２１は、選択されたデザイン画像とそのシールレイアウトについての情報であるレイアウト情報を生成し、シール紙に配置される印刷画像（編集済み画像）とともに、記憶部２０２に保存（記憶）させる。
【０１６５】
ステップＳ４４の処理が終了すると、編集および印刷設定処理は終了され、処理は、図１３のステップＳ５に戻る。
【０１６６】
以上のようにして、編集済み画像の縦横比を略1.2：１としてシール紙に配置して印刷させるレイアウト情報が生成される。
【０１６７】
なお、選択画像としては、少なくとも１枚の編集済み画像が選択されればよく、上述に説明においては、１枚の編集済み画像が選択されるものとしたが、１枚以上の編集済み画像が選択されるようにしてもよい。この場合、選択画像が配置されるシールレイアウト（レイアウトＢ）は、選択画像の枚数に対応したものとなる。
【０１６８】
次に、図１７のフローチャートを参照して、上述した写真シール作成ゲームの一連の処理におけるステップＳ７の印刷処理の流れの例を説明する。
【０１６９】
印刷処理が開始されると、ステップＳ６１において、印刷処理部３０４は、編集および印刷設定処理により生成され、保存されている編集済み画像とレイアウト情報を、記憶部２０２から取得する。
【０１７０】
ステップＳ６２において、印刷処理部３０４は、取得した編集済み画像を、レイアウト情報で示されるシールレイアウトのデザイン画像に配置した印刷データを生成する。
【０１７１】
ステップＳ６３において、印刷処理部３０４は、プリンタ２４１を制御し、その印刷データのシール紙への印刷を開始する。印刷を開始すると、印刷処理部３０４は、その印刷を継続させながら、印刷処理を終了し、処理を図１３のステップＳ７に戻し、ステップＳ８以降の処理を実行させる。
【０１７２】
印刷が終了すると、印刷済みのシール紙は、写真シール排出口１６４から排出される。
【０１７３】
図１８は、印刷済みのシール紙の例を示している。
【０１７４】
図１８に示されるように、シール紙３８１は、上述したレイアウトＢで印刷されたものであり、６枚の編集済み画像に加え、利用者に選択された選択画像が拡大されて、その縦横比を1.2：１として配置されている。シール紙３８２は、上述したレイアウトＣで印刷されたものであり、６枚の編集済み画像が、２枚ずつ異なる大きさで、その縦横比を1.2：１として配置されている。
【０１７５】
また、シール紙における印刷画像の配置は、図１８に示されるような、シール紙の長手方向を縦にして、縦横比が1.2：１の印刷画像を縦に並べた配置に限らず、図１９に示されるような、シール紙の長手方向を横にして、縦横比が1.2：１の印刷画像を横に並べた配置であってもよい。なお、図１５のデザイン画像３４１−１における、下段の左から３番目のデザイン画像のシールレイアウトが、図１９に示されるシール紙のシールレイアウトとなっている。
【０１７６】
なお、図１８，１９のいずれのシール紙においても、印刷画像における被写体の向きが同一の向きとなるように、印刷画像が配置されて印刷される。
【０１７７】
以上の処理によれば、写真シールに配置される印刷画像の縦横比が略1.2：１とされる。
【０１７８】
図２０は、従来の印刷画像と、本発明により印刷される印刷画像との比較について説明する図である。図２０Ａ，Ｂ，Ｃは、それぞれ縦横比が１：１、√２：１、1.2：１である印刷画像を示している。
【０１７９】
図２０Ａの画像は、図２０Ｂの画像と比較した場合、画像全体に対する顔の割合が大きい点で、利用者の満足度をある程度高めることができるが、編集可能なスペースが少ない点で、利用者の編集に対する満足度を低下させていた。
【０１８０】
また、図２０Ｂの画像は、図２０Ａの画像と比較した場合、編集可能なスペースが多い点で、利用者の満足度をある程度高めることができるが、画像全体に対する顔の割合が小さい点で、利用者の印刷画像の仕上がりに対する満足度を低下させていた。
【０１８１】
そこで、本発明の図２０Ｃの画像においては、図２０Ａの画像と比較して、編集可能なスペースを多く確保しつつ、図２０Ｂの画像と比較して、顔の割合を大きくすることができるようになり、結果として、バランスのよい、よりよい仕上がりの写真シールを提供することが可能となる。
【０１８２】
特に、レイアウトＡのデザイン画像が選択された場合には、シール紙に同一画像は印刷されないので、写真シールを切り分けずに記念として残しておきたい利用者の満足度を高めることができるようになる。また、利用者が、例えば６枚の編集済み画像の中に、気に入った画像を見つけた場合、レイアウトＢのデザイン画像を選択することで、その気に入った画像を拡大して写真シールに印刷させることができるので、その写真シールに対する利用者の満足度を高めることができるようになる。
【０１８３】
また、デザイン画像を利用者に選択させるようにしたので、シール紙には、利用者の趣向にあったデザイン画像が印刷されるようになり、写真シールに対する利用者の満足度を高めることが可能となる。
【０１８４】
さらに、利用者に選択されるデザイン画像を、合成用画像の色味群に応じたデザイン画像とするようにしたので、印刷画像とデザイン画像とにより統一感がある写真シールを提供することが可能となる。
【０１８５】
また、写真シールは、印刷画像における被写体の向きが同一の向きとなるように、印刷画像が配置されて印刷されるので、被写体の向きが同一の向きでない写真シールと比較して、見栄えのよい写真シールとなる。
【０１８６】
以上においては、分割パターンとして「２人用」が選択された場合の画面表示およびシール紙について説明したが、図２１乃至２２を参照して、分割パターンとして「記念日分割」が選択された場合の画面表示およびシール紙について説明する。
【０１８７】
図２１は、分割パターンとして「記念日分割」が選択されたときの分割パターン選択画面を示している。
【０１８８】
図２１に示される分割パターン選択画面には、デザイン画像４４１、ＯＫボタン４４２、および選択済デザイン画像４４３が表示されている。
【０１８９】
デザイン画像４４１は、写真シールにおいて印刷画像が配置される領域以外の領域に印刷される画像（領域外画像）であり、それぞれ色や図柄で装飾されている。デザイン画像４４１には、それぞれのシールレイアウトが与えられている。図２１の例では、「記念日」の「White」「Black」「Pink」、「フォトプリ」の「White」「Black」「Pink」、そして「カードプリ」の「White」「Black」「Pink」の９種類のデザイン画像が表示されている。
【０１９０】
ＯＫボタン４４２は、デザイン画像４４１のうちの利用者に選択されたデザイン画像を、最終的に出力される写真シールに印刷されるデザイン画像として決定するためのボタンである。選択済デザイン画像４４３は、利用者が選択したデザイン画像に、編集作業によって落書き編集が行われた編集済み画像が配置された画像である。なお、選択済デザイン画像４４３は、最終的に出力される写真シールと同一の大きさで表示される。
【０１９１】
すなわち、利用者により、デザイン画像４４１のうちのいずれかのデザイン画像が選択され決定されることで、最終的に出力される写真シールのシールレイアウトが決定されるようになる。図２１の例では、デザイン画像４４１のうちの「フォトプリ」の「Black」が選択され決定されて、「フォトプリ」の「Black」のシールレイアウトの選択済デザイン画像４４３が表示されている。
【０１９２】
図２２は、分割パターンとして「記念日分割」が選択された場合の選択画像選択画面の例を示している。
【０１９３】
図２２に示される選択画像選択画面には、選択候補画像４６１、ＯＫボタン４６２、および決定済デザイン画像４６３が表示されている。
【０１９４】
選択候補画像４６１は、例えば６枚の編集済み画像であり、利用者によりいずれか１枚が選択される。ＯＫボタン４６２は、利用者により選択された１枚の編集済み画像を選択画像として決定させる。
【０１９５】
決定済デザイン画像４６３は、図２１の選択済デザイン画像４４３と同一の画像である。ただし、選択画像表示領域４６３ａには、利用者がＯＫボタン４６２を操作することにより決定された選択画像が表示される。これにより、最終的に出力される写真シールと全く同一の画像が表示されるようになる。
【０１９６】
そして、図２３は、分割パターンとして「記念日分割」が選択された場合の印刷済みのシール紙の例を示している。
【０１９７】
図２３に示されるように、シール紙４８１は、上述した「フォトプリ」の「Black」のシールレイアウトで印刷されたものであり、６枚の編集済み画像に加え、利用者に選択された選択画像が拡大されて、その縦横比を1.2：１として配置されている。
【０１９８】
このように、写真シールに配置される印刷画像の縦横比を1.2：１としたので、縦横比が１：１となる正方形の印刷画像と比較して、編集可能なスペースを多く確保しつつ、縦横比が√２：１となる長方形の印刷画像と比較して、顔の割合を大きくすることができるようになり、よりよい仕上がりの写真シールとなる。
【０１９９】
ところで、図１４のフローチャートのステップＳ３２において、合成用画像の集合であるセットが選択されるようにしてもよい。セットは、例えば色味等のテーマで分類された合成用画像の集合であり、テーマ毎に用意される。
【０２００】
ここで、以下においては、合成用画像のセットが選択されるようにしたときの編集および印刷設定処理について説明する。
【０２０１】
［編集および印刷設定処理の他の例］
図２４は、合成用画像としてセットが選択されるようにしたときの編集および印刷設定処理の流れの例を説明するフローチャートである。
【０２０２】
なお、図２４のフローチャートのステップＳ９１乃至Ｓ９８，Ｓ１０２乃至Ｓ１０６における処理は、図１４のフローチャートのステップＳ３１乃至Ｓ３８，Ｓ４０乃至Ｓ４４における処理と同様であるので、その説明は省略する。
【０２０３】
すなわち、ステップＳ９９において、デザイン画像決定部３１９は、ステップＳ９２でセットの合成用画像が選択されていたか否かを判定する。
【０２０４】
セットの合成用画像が選択されていなかったと判定された場合、処理はステップＳ１００に進み、デザイン画像決定部３１９は、ステップＳ９２で選択された合成用画像の色味群に応じたデザイン画像を、分割パターン選択画面に表示させ、利用者に選択させる。
【０２０５】
一方、セットの合成用画像が選択されていたと判定された場合、処理はステップＳ１０１に進み、デザイン画像決定部３１９は、ステップＳ９２で選択されたセットの色味に応じたデザイン画像を決定し、分割パターン選択画面に表示する。
【０２０６】
この場合、例えば、図１５に示される分割パターン選択画面には、デザイン画像３４１−１として、セットの色味に応じたデザイン画像でレイアウトＡのものと、セットの色味に応じたデザイン画像でレイアウトＢのものの、２つのデザイン画像だけが表示されるようになる。具体的には、例えば、セットの色味がくっきりとしたビビッドな色味の場合、くっきりとしたビビッドな色味のデザイン画像が表示され、セットの色味がふんわりとしたパステル調の色味の場合、ふんわりとしたパステル調の色味のデザイン画像が表示される。
【０２０７】
このように、セットの色味に応じたデザイン画像が決定されるので、印刷画像とデザイン画像とにより統一感がある写真シールを提供することが可能となる。
【０２０８】
なお、以上においては、編集および印刷設定処理における編集対象画像の選択および保存から撮影画像の画像処理（図１４のステップＳ３１乃至Ｓ３３の処理、または、図２４のステップＳ９１乃至Ｓ９３の処理）は、編集空間で行われるものとしたが、撮影空間で行われるようにしてもよい。この場合、これらの処理は、図１３のフローチャートのステップＳ３において、撮影処理部３０２によって実行されるようになる。
【０２０９】
また、編集および印刷設定処理における分割パターンの選択およびデザイン画像の選択（図１４のステップＳ３７乃至Ｓ３９の処理、または、図２４のステップＳ９７乃至Ｓ１０１の処理）は、落書き編集の後に行われるものとしたが、落書き編集の前に行われるようにして、デザイン画像に配置された、縦横比が1.2：１の編集対象画像に対して落書き編集を行わせるようにしてもよい。
【０２１０】
これにより、利用者は、実際に出力される写真シールをイメージしながら編集作業を行うことができ、より満足度の高い写真シールを提供することができるようになる。
【０２１１】
さらに、編集および印刷設定処理における分割パターンの選択において、デザイン画像の色味を利用者に選択させるようにしてもよい。具体的には、例えば、図１５の分割パターン選択画面において、利用者にデザイン画像の色味を選択させるための色味ボタンを設け、デザイン画像決定部３１９が、利用者に選択された色味のデザイン画像を表示させてから、さらに利用者にデザイン画像を選択させるようにしてもよい。
【０２１２】
これにより、シール紙には、利用者の趣向にあったデザイン画像が印刷されるようになり、写真シールに対する利用者の満足度を高めることが可能となる。
【０２１３】
また、以上においては、利用者にデザイン画像を選択させることでシールレイアウトも選択させるようにしたが、シールレイアウトを選択させた後、デザイン画像（色や図柄のみ）を選択させるようにしてもよい。
【０２１４】
これにより、利用者は、多くのシールレイアウトとデザイン画像との組み合わせの中から、利用者の趣向にあったシールレイアウトとデザイン画像とを選択することができるようになり、写真シールに対する利用者の満足度をより高めることが可能となる。
【０２１５】
以上においては、デザイン画像を利用者に選択させた後、選択されたデザイン画像のシールレイアウトが、選択画像が配置されるシールレイアウト（レイアウトＢ）である場合に、選択画像を利用者に選択させる処理について説明してきた。
【０２１６】
以下においては、シールレイアウトとして、選択画像が配置されるシールレイアウト（レイアウトＢ）が選択された場合、利用者に選択画像を選択させ、その選択画像に合成されている合成用画像に応じて、デザイン画像を決定するようにした処理について説明する。
【０２１７】
［編集および印刷設定処理のさらに他の例］
図２５は、シールレイアウトとして、選択画像が配置されるシールレイアウト（レイアウトＢ）が選択された場合、利用者に選択画像を選択させ、その選択画像に合成されている合成用画像に応じて、デザイン画像を決定するようにした編集および印刷設定処理の流れの例を説明するフローチャートである。
【０２１８】
なお、図２５のフローチャートのステップＳ１３１乃至Ｓ１３８，Ｓ１４３乃至Ｓ１４５における処理は、図１４のフローチャートのステップＳ３１乃至Ｓ３８，Ｓ４２乃至Ｓ４４における処理と同様であるので、その説明は省略する。
【０２１９】
すなわち、ステップＳ１３９において、デザイン画像決定部３１９は、デザイン画像のサンプルを、分割パターン選択画面に表示させ、利用者に選択させる。ここでは、分割パターンとして、「２人用」が選択されたものとするが、「記念日分割」が選択された場合であっても、後述する処理と基本的に同様の処理が実行される。
【０２２０】
図２６Ａに示される、分割パターンとして「２人用」が選択されている分割パターン選択画面には、図１５に示される分割パターン選択画面と同様、タブレット内蔵モニタ１３１に対して左側の利用者に操作される分割パターン選択操作画面３３１−１と、タブレット内蔵モニタ１３１に対して右側の利用者に操作される分割パターン選択操作画面３３１−２とが表示されている。
【０２２１】
ただし、図２６Ａの分割パターン選択画面において、図１５の分割パターン選択画面と異なるのは、デザイン画像３４１−１のうちのレイアウトＡおよびレイアウトＢのデザイン画像のサンプルとして、デザイン画像３４１−１Ａおよびデザイン画像３４１−１Ｂが表示されている点である。ここで、デザイン画像３４１−１Ａ，３４１−１Ｂはそれぞれ、シールレイアウトとしてレイアウトＡまたはＢを選択させるための画像であるので、以下においては、デザイン画像３４１−１Ａ，３４１−１Ｂをそれぞれ、レイアウト画像３４１−１Ａ，３４１−１Ｂと称することとする。なお、図２６Ａの分割パターン選択画面において、レイアウトＣのデザイン画像については、図１５の分割パターン選択画面と同様に表示されている。
【０２２２】
レイアウト画像３４１−１Ａは、上述の通り、利用者に、デザイン画像のシールレイアウトとしてレイアウトＡ（６枚の編集済み画像を１枚ずつ配置させるもの）を選択させるための画像である。ただし、レイアウト画像３４１−１Ａには、領域外画像としてのデザイン画像が予め設定されている。例えば、図２６Ａの分割パターン選択画面に表示されている２枚のレイアウト画像３４１−１Ａのうちのいずれかが選択されることで、シールレイアウトがレイアウトＡに決定されるとともに、デザイン画像としては、選択されたレイアウト画像３４１−１Ａに設定されているデザイン画像に決定される。
【０２２３】
レイアウト画像３４１−１Ｂは、上述の通り、利用者に、デザイン画像のシールレイアウトとしてレイアウトＢ（６枚の編集済み画像に加え、６枚の編集済み画像から利用者に選択された１枚の選択画像を拡大して配置させるもの）を選択させるための画像である。レイアウト画像３４１−１Ｂには、領域外画像としてのデザイン画像は設定されていない。図２６Ａの分割パターン選択画面においてレイアウト画像３４１−１Ｂが選択された場合、シールレイアウトはレイアウトＢに決定されるが、デザイン画像としては、後述するように、利用者に選択された選択画像に合成されている合成用画像に応じたデザイン画像に決定される。ここで、合成用画像とは、選択画像に合成されている画像自体はもちろん、その画像の色味や、その画像に含まれる図柄や文言をも示すこととする。なお、分割パターン選択画面の表示の上では、レイアウト画像３４１−１Ｂのデザイン画像として、任意のデザイン画像が表示される。
【０２２４】
なお、以下においては、デザイン画像のシールレイアウトのうち、レイアウトＡとレイアウトＢとを、適宜、スペシャルレイアウトということとする。
【０２２５】
ステップＳ１４０において、デザイン画像決定部３１９は、ステップＳ１３９で、選択画像が配置されるシールレイアウト（レイアウトＢ）のデザイン画像のサンプル、すなわち、レイアウト画像３４１−１Ｂが選択されたか否かを判定する。
【０２２６】
ステップＳ１４０において、選択画像が配置されるシールレイアウトのレイアウト画像が選択されたと判定された場合、処理はステップＳ１４１に進む。
【０２２７】
ステップＳ１４１において、編集済み画像選択制御部３２０は、タブレット内蔵モニタ１３１に、図２６Ｂに示されるような、選択画像（編集済み画像）を選択させる選択画像選択画面を表示させ、利用者に選択画像を選択・決定させる。なお、図２６Ｂに示される選択画像選択画面は、図１６を参照して説明した選択画像選択画面と同様であるので、その説明は省略する。
【０２２８】
ステップＳ１４２において、デザイン画像決定部３１９は、ステップＳ１４１において、利用者により選択された選択画像に合成されている合成用画像に応じたデザイン画像を決定する。具体的には、利用者により選択された選択画像に合成されている合成用画像の色味や図柄、文言に応じた色や図柄、文言で装飾されたデザイン画像が、１つだけ選択されて決定される。このとき、図２６Ｂの選択画像選択画面においては、決定済デザイン画像３６３として、デザイン画像決定部３１９により決定されたデザイン画像が表示され、選択画像表示領域３６３ａには、利用者がＯＫボタン３６２を操作することにより決定された選択画像が表示される。なお、利用者により選択された選択画像に合成されている合成用画像の色味や図柄、文言に応じて、デザイン画像における色や図柄、文言が変更されるようにしてもよい。ここで、合成用画像は、ステップＳ１３３において、撮影画像に合成された合成された合成用画像であってもよいし、ステップＳ１３５における落書き編集によって合成された編集用合成用画像であってもよい。
【０２２９】
一方、ステップＳ１４０において、選択画像が配置されるシールレイアウトのレイアウト画像が選択されなかったと判定された場合、すなわち、レイアウト画像３４１−１ＡまたはレイアウトＣのデザイン画像が選択された場合、デザイン画像としては、選択されたレイアウト画像３４１−１Ａに設定されているデザイン画像、または、レイアウトＣのデザイン画像に決定され、ステップＳ１４１はスキップされて、処理はステップＳ１４３に進む。
【０２３０】
以上の処理によれば、レイアウト画像によって、選択画像を選択させるシールレイアウト（レイアウトＢ）が選択された場合、利用者によって選択画像が選択され、その選択画像に合成されている合成用画像に応じたデザイン画像が決定されるようになる。したがって、最終的に得られる写真シールにおいて、利用者が選択した選択画像を、その選択画像に応じたデザイン画像とともに印刷することが可能となる。
【０２３１】
結果として、利用者それぞれが手にする写真シールは、統一感のあるデザインのある写真シールとなり、利用者に対して、見栄えのよい、よりよい仕上がりの写真シールを提供することができるようになる。
【０２３２】
なお、印刷処理は、図１７のフローチャートを参照して説明した印刷処理と同様にして行われる。
【０２３３】
以上においては、選択画像に合成されている合成用画像に応じて、１つのデザイン画像が決定される処理について説明したが、選択画像に合成されている合成用画像に応じた複数のデザイン画像から、１つのデザイン画像を利用者に選択させるようにしてもよい。
【０２３４】
［編集および印刷設定処理のさらに他の例］
図２７は、利用者に、選択画像に合成されている合成用画像に応じた複数のデザイン画像から、１つのデザイン画像を利用者に選択させるようにした編集および印刷設定処理の流れの例を説明するフローチャートである。
【０２３５】
なお、図２７のフローチャートのステップＳ２３１乃至Ｓ２４１，Ｓ２４３乃至Ｓ２４５における処理は、図２５のフローチャートのステップＳ１３１乃至Ｓ１４１，Ｓ１４３乃至Ｓ１４５における処理と同様であるので、その説明は省略する。
【０２３６】
すなわち、ステップＳ２４２において、デザイン画像決定部３１９は、ステップＳ２４１において、利用者により選択された選択画像に合成されている合成用画像に応じたデザイン画像を、デザイン画像選択画面に表示させ、利用者に選択させる。
【０２３７】
具体的には、図２８Ａに示される選択画像選択画面において、選択候補画像３６１から利用者によりいずれか１枚が選択されると、サンプルデザイン画像５０１として、利用者により選択された選択画像に合成されている合成用画像の色味や図柄、文言に応じたデザイン画像のサンプルが表示される。なお、選択画像表示領域５０１ａには、利用者がＯＫボタン３６２を操作することにより決定された選択画像が表示される。そして、利用者がＯＫボタン３６２を操作することにより、タブレット内蔵モニタ１３１には、図２８Ｂに示されるデザイン画像選択画面が表示されるようになる。
【０２３８】
図２８Ｂに示されるデザイン画像選択画面には、タブレット内蔵モニタ１３１に対して左側の利用者に操作されるデザイン画像選択操作画面５１１−１と、タブレット内蔵モニタ１３１に対して右側の利用者に操作されるデザイン画像選択操作画面５１１−２とが表示されている。
【０２３９】
なお、デザイン画像選択操作画面５１１−２には、左側の利用者の操作が終わるまで右側の利用者を待機させる旨の文言「隣の人が終わるまでちょっと待っててね!!」が表示され、右側の利用者が操作できないようになされている。
【０２４０】
デザイン画像選択操作画面５１１−１には、選択候補デザイン画像５２１乃至５２４、およびＯＫボタン５２５が表示されている。
【０２４１】
選択候補デザイン画像５２１乃至５２４は、いずれも、選択画像選択画面（図２８Ａ）において利用者により選択された選択画像に合成されている合成用画像の色味や図柄、文言に応じたデザイン画像であり、利用者によりいずれか１枚が選択される。ＯＫボタン５２５は、利用者により選択された１枚のデザイン画像を決定させる。これにより、利用者は、選択画像に合成されている合成用画像に応じた複数のデザイン画像から、１つのデザイン画像を選択することができる。
【０２４２】
以上の処理によれば、レイアウト画像によって、選択画像を選択させるシールレイアウト（レイアウトＢ）が選択された場合、利用者によって選択画像が選択され、その選択画像に合成されている合成用画像に応じたデザイン画像が複数表示され、１つのデザイン画像が利用者によって選択されるようになる。したがって、最終的に得られる写真シールにおいて、利用者が選択した選択画像を、その選択画像に応じたデザイン画像であって、利用者の嗜好にあったデザイン画像とともに印刷することが可能となる。
【０２４３】
結果として、利用者それぞれが手にする写真シールは、統一感のあるデザインのある写真シールとなり、利用者に対して、見栄えのよい、よりよい仕上がりの写真シールを提供することができるようになる。
【０２４４】
ここで、図２９，３０を参照して、上述した処理によって得られる、印刷済みのシール紙について説明する。
【０２４５】
図２９に示されるように、シール紙５５１は、上述のレイアウトＢで印刷されたものであり、６枚の編集済み画像５６１−１乃至５６１−６に加え、利用者に選択された選択画像５６２が拡大されて配置されている。また、シール紙５５１には、デザイン画像として、文言５６３を含む図柄が、編集済み画像５６１−１乃至５６１−６および選択画像５６２が配置される領域以外の領域に印刷されている。
【０２４６】
図２９のシール紙５５１においては、編集済み画像５６１−６が拡大されたものが選択画像５６２となっている。編集済み画像５６１−６および選択画像５６２には、「Let’s go to eat」の文言を含む、食事に関する図柄が合成用画像として合成されている。したがって、シール紙５５１に印刷されるデザイン画像として、食事に関連する文言５６３「happy!! lunch」が印刷されるようになる。
【０２４７】
同様に、シール紙５５２もまた、上述のレイアウトＢで印刷されたものであり、６枚の編集済み画像５７１−１乃至５７１−６に加え、利用者に選択された選択画像５７２が拡大されて配置されている。また、シール紙５５２には、デザイン画像として、文言５７３を含む図柄が、編集済み画像５７１−１乃至５７１−６および選択画像５７２が配置される領域以外の領域に印刷されている。
【０２４８】
図２９のシール紙５５２においては、編集済み画像５７１−４が拡大されたものが選択画像５７２となっている。編集済み画像５７１−４および選択画像５７２には、「夏祭りに来たよ!!」の文言を含む、夏に関する図柄が合成用画像として合成されている。したがって、シール紙５５２に印刷されるデザイン画像として、夏に関連する文言５７３「happy!! summer」が印刷されるようになる。
【０２４９】
また、シール紙における印刷画像の配置は、図２９に示されるような、シール紙の長手方向を縦にして、印刷画像を縦に並べた配置に限らず、図３０に示されるような、シール紙の長手方向を横にして、印刷画像を横に並べた配置であってもよい。
【０２５０】
図３０に示されるように、シール紙５８１は、上述のレイアウトＢで印刷されたものであり、６枚の編集済み画像５９１−１乃至５９１−６に加え、利用者に選択された選択画像５９２が拡大されて配置されている。また、シール紙５８１には、デザイン画像として、文言５９３を含む図柄が、編集済み画像５９１−１乃至５９１−６および選択画像５９２が配置される領域以外の領域に印刷されている。
【０２５１】
図３０のシール紙５８１においては、編集済み画像５９１−４が拡大されたものが選択画像５９２となっている。編集済み画像５９１−４および選択画像５９２には、「Summer Vacation」の文言を含む、夏に関する図柄が合成用画像として合成されている。したがって、シール紙５８１に印刷されるデザイン画像として、夏に関連する文言５９３「happy!! Summer」が印刷されるようになる。
【０２５２】
このようにして、写真シールには、利用者が選択した選択画像が、その選択画像に応じたデザイン画像、より具体的には、その選択画像に合成されている合成用画像の色味や図柄、文言に応じたデザイン画像とともに印刷されるようになる。
【０２５３】
なお、図２９，３０のいずれのシール紙においても、印刷画像における被写体の向きが同一の向きとなるように、印刷画像が配置されて印刷される。
【０２５４】
以上においては、分割パターン選択画面において選択された分割パターンが、デザイン画像を選択させる分割パターン（具体的には、「２人用」または「記念日分割」）である場合に、選択画像を選択させ、選択された選択画像に合成されている合成用画像に応じたデザイン画像を決定する処理について説明してきた。
【０２５５】
以下においては、分割パターン選択画面において、デザイン画像を選択させる分割パターンとして、スペシャルレイアウト（レイアウトＡおよびレイアウトＢ）を選択させる「スペシャルレイアウト」を新たに設けた場合の処理について説明する。
【０２５６】
［編集および印刷設定処理のさらに他の例］
図３１は、デザイン画像を選択させる分割パターンとして、スペシャルレイアウトを選択させる「スペシャルレイアウト」を新たに設けた場合の編集および印刷設定処理の流れの例を説明するフローチャートである。
【０２５７】
なお、図３１のフローチャートのステップＳ３３１乃至Ｓ３３７，Ｓ３４４乃至Ｓ３４５における処理は、図２５のフローチャートのステップＳ１３１乃至Ｓ１３７，Ｓ１４３乃至Ｓ１４５における処理と同様であるので、その説明は省略する。
【０２５８】
すなわち、ステップＳ３３８において、分割パターン選択制御部３１８は、タブレット内蔵モニタ１３１に、表示される分割パターン選択画面において、デザイン画像を選択させる分割パターンが選択されたか否かを判定する。
【０２５９】
図３２Ａは、分割パターン選択画面の例を示している。
【０２６０】
図３２Ａの分割パターン選択画面においては、分割パターンとして、「２人用」、「３人用・４人用」、「大分割・小分割」、および「記念日分割」に加え、スペシャルレイアウトを選択させる「スペシャルレイアウト」がある。
【０２６１】
図３２Ａの分割パターン選択画面には、それぞれの分割パターンを選択させるためのボタンが表示されている。図３２Ａの例では、分割パターンとして「スペシャルレイアウト」が選択されており、２人の利用者がシールレイアウトとして、スペシャルレイアウト（レイアウトＡまたはレイアウトＢ）を選択・決定することができるようになされている。
【０２６２】
なお、この例では、デザイン画像を選択させる分割パターンは、「スペシャルレイアウト」のみであるものとする。
【０２６３】
ステップＳ３３８において、デザイン画像を選択させる分割パターンが選択されたと判定された場合、すなわち、分割パターンとして、「スペシャルレイアウト」が選択された場合、ステップＳ３３９において、デザイン画像決定部３１９は、シールレイアウトとして、レイアウトＡまたはレイアウトＢのいずれかを、利用者に選択させる。
【０２６４】
図３２Ａに示される、分割パターンとして「スペシャルレイアウト」が選択されている分割パターン選択画面には、タブレット内蔵モニタ１３１に対して左側の利用者に操作されるシールレイアウト選択操作画面６１１−１と、タブレット内蔵モニタ１３１に対して右側の利用者に操作されるシールレイアウト選択操作画面６１１−２とが表示されている。
【０２６５】
シールレイアウト選択操作画面６１１−１には、レイアウトＢ選択ボタン６２１−１、レイアウトＡ選択ボタン６２２−１、およびＯＫボタン６２３−１が表示されている。
【０２６６】
レイアウトＢ選択ボタン６２１−１は、シールレイアウトとして、選択画像が配置されるレイアウトＢを選択するためのボタンであり、レイアウトＡ選択ボタン６２２−１は、シールレイアウトとして、選択画像が配置されないレイアウトＡを選択するためのボタンである。
【０２６７】
ＯＫボタン６２３−１は、レイアウトＢ選択ボタン６２１−１およびレイアウトＡ選択ボタン６２２−１のうちの利用者に選択されたシールレイアウトを、最終的に出力される写真シールに印刷されるデザイン画像のシールレイアウトとして決定するためのボタンである。
【０２６８】
すなわち、利用者により、レイアウトＢ選択ボタン６２１−１およびレイアウトＡ選択ボタン６２２−１のうちのいずれかのシールレイアウトが選択され決定されることで、最終的に出力される写真シールのシールレイアウトが決定されるようになる。図３２Ａの例では、シールレイアウト選択操作画面６１１−１において、レイアウトＢ選択ボタン６２１−１が選択され決定されている。
【０２６９】
また、シールレイアウト選択操作画面６１１−２には、レイアウトＢ選択ボタン６２１−２、レイアウトＡ選択ボタン６２２−２、およびＯＫボタン６２３−２が表示されているが、それぞれ、シールレイアウト選択操作画面６１１−１に表示されている、レイアウトＢ選択ボタン６２１−１、レイアウトＡ選択ボタン６２２−１、およびＯＫボタン６２３−１と同一のものであるので、その説明は省略する。図３２Ａの例では、シールレイアウト選択操作画面６１１−２において、レイアウトＡ選択ボタン６２２−２が選択され決定されている。
【０２７０】
図３１のフローチャートに戻り、ステップＳ３４０において、デザイン画像決定部３１９は、ステップＳ３３９で、選択画像が配置されるシールレイアウトが選択されたか否かを判定する。すなわち、ステップＳ３４０においては、シールレイアウトとしてレイアウトＢが選択されたか否かが判定される。
【０２７１】
ステップＳ３４０において、選択画像が配置されるシールレイアウトが選択されたと判定された場合、処理はステップＳ３４１に進む。
【０２７２】
ステップＳ３４１において、編集済み画像選択制御部３２０は、タブレット内蔵モニタ１３１に、図３２Ｂに示されるような、選択画像（編集済み画像）を選択させる選択画像選択画面を表示させ、利用者に選択画像を選択させる。なお、図３２Ｂに示される選択画像選択画面は、図１６を参照して説明した選択画像選択画面と同様であるので、その説明は省略する。
【０２７３】
ステップＳ３４２において、デザイン画像決定部３１９は、ステップＳ３４１において、利用者により選択された選択画像に合成されている合成用画像に応じたデザイン画像を決定する。具体的には、利用者により選択された選択画像に合成されている合成用画像に応じた色や図柄、文言で装飾されたデザイン画像が、１つだけ選択されて決定される。
【０２７４】
一方、ステップＳ３４０において、選択画像が配置されるシールレイアウトが選択されなかったと判定された場合、すなわち、レイアウトＡのデザイン画像が選択された場合、処理はステップＳ３４３に進む。
【０２７５】
ステップＳ３４３において、デザイン画像決定部３１９は、選択されたシールレイアウト（レイアウトＡ）のデザイン画像を、デザイン画像選択画面に表示させ、利用者に選択させる。
【０２７６】
図３３は、デザイン画像選択画面の例を示している。
【０２７７】
図３３に示されるデザイン画像選択画面には、タブレット内蔵モニタ１３１に対して左側の利用者に操作されるデザイン画像選択操作画面６６１−１と、タブレット内蔵モニタ１３１に対して右側の利用者に操作されるデザイン画像選択操作画面６６１−２とが表示されている。
【０２７８】
デザイン画像選択操作画面６６１−１には、決定済デザイン画像６７１およびＯＫボタン６７２が表示されている。
【０２７９】
決定済デザイン画像６７１は、上述したステップＳ３４２において、選択画像に合成されている合成用画像に応じて決定されたデザイン画像であり、選択画像表示領域６７１ａには、ステップＳ３４１において利用者により選択された選択画像が表示される。ＯＫボタン６７２は、決定されたデザイン画像を確定させる。
【０２８０】
一方、デザイン画像選択操作画面６６１−２には、選択候補デザイン画像６７３，６７４、およびＯＫボタン６７５が表示されている。
【０２８１】
選択候補デザイン画像６７３，６７４は、いずれも、レイアウトＡのデザイン画像であり、利用者によりいずれか１枚が選択される。ＯＫボタン６７５は、利用者により選択された１枚のデザイン画像を決定させる。これにより、利用者は、複数のレイアウトＡのデザイン画像から、１つのデザイン画像を選択することができる。
【０２８２】
また、ステップＳ３３８において、デザイン画像を選択させる分割パターンが選択されなかったと判定された場合、すなわち、分割パターンとして、「２人用」、「３人用・４人用」、「大分割・小分割」、または「記念日分割」が選択された場合、ステップＳ３３９乃至Ｓ３４３はスキップされ、処理はステップＳ３４４に進む。
【０２８３】
以上の処理によれば、シールレイアウトとして、選択画像を選択させるレイアウト（レイアウトＢ）のデザイン画像が選択された場合、利用者によって、選択画像が選択され、その選択画像に合成されている合成用画像に応じたデザイン画像が決定されるようになる。したがって、最終的に得られる写真シールにおいて、利用者が選択した選択画像を、その選択画像に応じたデザイン画像とともに印刷することが可能となる。
【０２８４】
結果として、利用者それぞれが手にする写真シールは、統一感のあるデザインのある写真シールとなり、利用者に対して、見栄えのよい、よりよい仕上がりの写真シールを提供することができるようになる。
【０２８５】
また、例えば、図２６Ａの分割パターン選択画面では、スペシャルレイアウト（レイアウトＡ，Ｂ）のデザイン画像を選択させるには、分割パターンとして「２人用」または「記念日分割」を選択させる必要があり、利用者に、スペシャルレイアウトのデザイン画像が選択されることを認識させにくかった。
【０２８６】
一方で、上述した例では、図３２Ａに示されるように、分割パターンとして、スペシャルレイアウトを選択させる「スペシャルレイアウト」を新たに設けるようにしたり、分割パターンとして「スペシャルレイアウト」が選択された場合には、スペシャルレイアウトにおける選択画像の配置の有無を選択させる（すなわち、レイアウトＡ，Ｂのいずれかを選択させる）ようにしたので、利用者に、シールレイアウトとして、スペシャルレイアウトを直感的に選択させたり、スペシャルレイアウトにおける選択画像の配置の有無をよりわかりやすく提示する等、利用者に、順を追ったスペシャルレイアウトの選択を行わせることができる。
【０２８７】
以上においては、選択画像に合成されている合成用画像に応じて、１つのデザイン画像が決定される処理について説明したが、選択画像に合成されている合成用画像に応じた複数のデザイン画像から、１つのデザイン画像を利用者に選択させるようにしてもよい。
【０２８８】
［編集および印刷設定処理のさらに他の例］
図３４は、選択画像に合成されている合成用画像に応じた複数のデザイン画像から、１つのデザイン画像を利用者に選択させるようにした編集および印刷設定処理の流れの例を説明するフローチャートである。
【０２８９】
なお、図３４のフローチャートのステップＳ４３１乃至Ｓ４４１，Ｓ４４３乃至Ｓ４４６における処理は、図３１のフローチャートのステップＳ３３１乃至Ｓ３４１，Ｓ３４３乃至Ｓ３４６における処理と同様であるので、その説明は省略する。
【０２９０】
すなわち、ステップＳ４４２において、デザイン画像決定部３１９は、ステップＳ４４１において、利用者により選択された選択画像に合成されている合成用画像に応じたデザイン画像を、デザイン画像選択画面に表示させ、利用者に選択させる。
【０２９１】
具体的には、上述の図３２Ｂに示される選択画像選択画面において、選択候補画像３６１から利用者によりいずれか１枚が選択されると、決定済デザイン画像３６３には、利用者により選択された選択画像に合成されている合成用画像に応じたデザイン画像のサンプルが表示される。なお、選択画像表示領域３６３ａには、利用者がＯＫボタン３６２を操作することにより決定された選択画像が表示される。そして、利用者がＯＫボタン３６２を操作することにより、タブレット内蔵モニタ１３１には、図３５に示されるデザイン画像選択画面が表示されるようになる。
【０２９２】
図３５に示されるデザイン画像選択画面には、図３３を参照して説明したデザイン画像選択画面と同様に、タブレット内蔵モニタ１３１に対して左側の利用者に操作されるデザイン画像選択操作画面６６１−１と、タブレット内蔵モニタ１３１に対して右側の利用者に操作されるデザイン画像選択操作画面６６１−２とが表示されている。
【０２９３】
ただし、図３５のデザイン画像選択画面は、図３３のデザイン画像選択画面と異なり、デザイン画像選択操作画面６６１−１において、決定済デザイン画像６７１に代えて、選択候補デザイン画像６８１乃至６８４が表示されている。
【０２９４】
選択候補デザイン画像６８１乃至６８４は、いずれも、選択画像選択画面（図３２Ｂ）において利用者により選択された選択画像に合成されている合成用画像に応じたデザイン画像であり、利用者によりいずれか１枚が選択される。そして、ＯＫボタン６７２により、利用者により選択された１枚のデザイン画像が決定される。これにより、利用者は、選択画像に合成されている合成用画像に応じた複数のデザイン画像から、１つのデザイン画像を選択することができる。
【０２９５】
以上の処理によれば、シールレイアウトとして、選択画像を選択させるレイアウト（レイアウトＢ）のデザイン画像が選択された場合、利用者によって、選択画像が選択され、その選択画像に合成されている合成用画像に応じたデザイン画像が複数表示され、利用者に選択されるようになる。したがって、最終的に得られる写真シールにおいて、利用者が選択した選択画像を、その選択画像に応じたデザイン画像であって、利用者の嗜好にあったデザイン画像とともに印刷することが可能となる。
【０２９６】
結果として、利用者それぞれが手にする写真シールは、統一感のあるデザインのある写真シールとなり、利用者に対して、見栄えのよい、よりよい仕上がりの写真シールを提供することができるようになる。
【０２９７】
さて、以上においては、利用者に選択された選択画像に応じて、デザイン画像が決定される処理について説明してきたが、撮影および編集の結果得られた複数の編集済み画像それぞれについてデザイン画像を決定し、決定されたデザイン画像から、１つのデザイン画像を利用者に選択させるようにしてもよい。
【０２９８】
そこで、以下においては、複数の編集済み画像それぞれについてデザイン画像を決定し、決定されたデザイン画像から、１つのデザイン画像を利用者に選択させるようにした処理について説明する。
【０２９９】
［編集および印刷設定処理のさらに他の例］
図３６は、複数の編集済み画像それぞれについて決定されたデザイン画像から、１つのデザイン画像を利用者に選択させるようにした編集および印刷設定処理の流れの例を説明するフローチャートである。
【０３００】
なお、図３６のフローチャートのステップＳ５３１乃至Ｓ５３７，Ｓ５４０乃至Ｓ５４２における処理は、図３１のフローチャートのステップＳ３３１乃至Ｓ３３７，Ｓ３４４乃至Ｓ３４６における処理と同様であるので、その説明は省略する。
【０３０１】
すなわち、ステップＳ５３８において、分割パターン選択制御部３１８は、タブレット内蔵モニタ１３１に表示される分割パターン選択画面において、デザイン画像を選択させる分割パターンが選択されたか否かを判定する。
【０３０２】
なお、この例でも、デザイン画像を選択させる分割パターンは、「スペシャルレイアウト」のみであるが、シールレイアウトとしてレイアウトＡは選択できないものとする。
【０３０３】
ステップＳ５３８において、デザイン画像を選択させる分割パターンが選択されたと判定された場合、すなわち、分割パターンとして、「スペシャルレイアウト」が選択された場合、ステップＳ５３９において、デザイン画像決定部３１９は、それぞれの編集済み画像を選択画像とし、選択画像それぞれに合成されている合成用画像に応じたデザイン画像を、分割パターン選択画面に表示させ、利用者に選択させる。
【０３０４】
図３７は、分割パターン選択画面の例を示している。
【０３０５】
図３７に示される、分割パターンとして「スペシャルレイアウト」が選択されている分割パターン選択画面には、タブレット内蔵モニタ１３１に対して左側の利用者に操作されるデザイン画像選択操作画面７１１−１と、タブレット内蔵モニタ１３１に対して右側の利用者に操作されるデザイン画像選択操作画面７１１−２とが表示されている。
【０３０６】
デザイン画像選択操作画面７１１−１には、選択候補デザイン画像７２１−１乃至７２６−１、およびＯＫボタン７２７−１が表示されている。
【０３０７】
選択候補デザイン画像７２１−１乃至７２６−１は、それぞれ、６枚の編集済み画像Ａ乃至Ｆを選択画像としたときの、その選択画像としての編集済み画像Ａ乃至Ｆに合成されている合成用画像に応じたデザイン画像である。例えば、選択候補デザイン画像７２１−１は、編集済み画像Ａを選択画像としたときの、その編集済み画像Ａに合成されている合成用画像に応じたデザイン画像である。また、例えば、選択候補デザイン画像７２４−１は、編集済み画像Ｄを選択画像としたときの、その編集済み画像Ｄに合成されている合成用画像に応じたデザイン画像である。
【０３０８】
選択候補デザイン画像７２１−１乃至７２６−１は、いずれも、レイアウトＢのデザイン画像であり、利用者によりいずれか１枚が選択される。ＯＫボタン７２７−１は、利用者により選択された１枚のデザイン画像を決定させる。これにより、利用者は、編集済み画像それぞれに合成されている合成用画像に応じたデザイン画像から、１つのデザイン画像を選択することができる。
【０３０９】
また、デザイン画像選択操作画面７１１−２には、選択候補デザイン画像７２１−２乃至７２６−２、およびＯＫボタン７２７−２が表示されているが、それぞれ、デザイン画像選択操作画面７１１−１に表示されている、選択候補デザイン画像７２１−１乃至７２６−１、およびＯＫボタン７２７−１と同一のものであるので、その説明は省略する。
【０３１０】
また、ステップＳ５３８において、デザイン画像を選択させる分割パターンが選択されなかったと判定された場合、すなわち、分割パターンとして、「２人用」、「３人用・４人用」、「大分割・小分割」、または「記念日分割」が選択された場合、ステップＳ５３９はスキップされ、処理はステップＳ５４０に進む。
【０３１１】
以上の処理によれば、編集済み画像をそれぞれ選択画像としたときの異なる種類のデザイン画像から、利用者により、１つのデザイン画像が選択されて決定されるようになる。したがって、最終的に得られる写真シールにおいて、利用者が選択した選択画像を、その選択画像に応じたデザイン画像とともに印刷することが可能となる。
【０３１２】
結果として、利用者それぞれが手にする写真シールは、統一感のあるデザインのある写真シールとなり、利用者に対して、見栄えのよい、よりよい仕上がりの写真シールを提供することができるようになる。
【０３１３】
以上においては、編集済み画像をそれぞれ選択画像としたときのデザイン画像から、１つのデザイン画像が選択される処理について説明したが、その選択されたデザイン画像の選択画像に合成されている合成用画像に応じた複数のデザイン画像から、さらに１つのデザイン画像を利用者に選択させるようにしてもよい。
【０３１４】
［編集および印刷設定処理のさらに他の例］
図３８は、編集済み画像をそれぞれ選択画像としたときのデザイン画像から選択された１つのデザイン画像の選択画像に合成されている合成用画像に応じた複数のデザイン画像から、さらに１つのデザイン画像を利用者に選択させるようにした編集および印刷設定処理の流れの例を説明するフローチャートである。
【０３１５】
なお、図３８のフローチャートのステップＳ６３１乃至Ｓ６３８，Ｓ６４１乃至Ｓ６４３における処理は、図３６のフローチャートのステップＳ５３１乃至Ｓ５３８，Ｓ５４０乃至Ｓ５４２における処理と同様であるので、その説明は省略する。
【０３１６】
ステップＳ６３８において、デザイン画像を選択させる分割パターンが選択されたと判定された場合、すなわち、分割パターンとして、「スペシャルレイアウト」が選択された場合、ステップＳ６３９において、デザイン画像決定部３１９は、それぞれの編集済み画像を選択画像とし、選択画像それぞれに合成されている合成用画像に応じたデザイン画像を、図３７に示されるように、分割パターン選択画面に表示させ、利用者に選択させる。
【０３１７】
ステップＳ６４０において、デザイン画像決定部３１９は、ステップＳ６３９において選択されたデザイン画像に対応する選択画像に合成されている合成用画像に応じたデザイン画像を、図３９に示されるように、分割パターン選択画面に表示させ、利用者に選択させる。
【０３１８】
具体的には、上述の図３７に示される分割パターン選択画面において、選択候補デザイン画像７２１−１乃至７２６−１から利用者によりいずれか１枚が選択され、利用者がＯＫボタン７２７−１を操作することにより、タブレット内蔵モニタ１３１には、図３９に示されるデザイン画像選択画面が表示されるようになる。
【０３１９】
図３９に示されるデザイン画像選択画面には、図３７に示されるデザイン画像選択画面と同様に、タブレット内蔵モニタ１３１に対して左側の利用者に操作されるデザイン画像選択操作画面７１１−１と、タブレット内蔵モニタ１３１に対して右側の利用者に操作されるデザイン画像選択操作画面７１１−２とが表示されている。
【０３２０】
ただし、図３９のデザイン画像選択画面は、図３７のデザイン画像選択画面と異なり、デザイン画像選択操作画面７１１−１において、選択候補デザイン画像７２１−１乃至７２６−１に代えて、選択候補デザイン画像７３１−１乃至７３６−１が表示されている。
【０３２１】
選択候補デザイン画像７３１−１乃至７３６−１は、いずれも、選択画像選択画面（図３７）において利用者により選択された選択候補デザイン画像７２１−１に対応する選択画像（編集済み画像Ａ）に合成されている合成用画像に応じたデザイン画像であり、利用者によりいずれか１枚が選択される。そして、ＯＫボタン７３７−１により、利用者により選択された１枚のデザイン画像が決定される。これにより、利用者は、選択画像に合成されている合成用画像に応じた複数のデザイン画像から、１つのデザイン画像を選択することができる。
【０３２２】
以上の処理によれば、編集済み画像をそれぞれ選択画像としたときの異なる種類のデザイン画像から選択された１つのデザイン画像に対応する選択画像（編集済み画像）に合成されている合成用画像に応じたデザイン画像が複数表示され、利用者に選択されるようになる。つまり、利用者によって、デザイン画像とともに選択画像が選択・決定されるようになる。したがって、最終的に得られる写真シールにおいて、利用者が選択した選択画像を、その選択画像に応じたデザイン画像であって、利用者の嗜好にあったデザイン画像とともに印刷することが可能となる。
【０３２３】
結果として、利用者それぞれが手にする写真シールは、統一感のあるデザインのある写真シールとなり、利用者に対して、見栄えのよい、よりよい仕上がりの写真シールを提供することができるようになる。
【０３２４】
なお、図２５以降の図面を参照して説明した処理においては、選択画像として、通常の撮影および編集を行った編集済み画像が選択されるものとしたが、例えば、事後接客における携帯送信ゲームによって利用者の携帯端末に送信される画像であって、携帯端末上で利用者により利用される携帯送信後利用画像をシール紙に印刷するようにした場合には、選択画像として、携帯送信後利用画像が選択されるようにしてもよい。
【０３２５】
携帯送信後利用画像には、携帯端末に送信された画像を、利用者の友達等に対するメッセージを含むグリーティングカードの代わりとして、利用者の友達等にメールや専用サイトを介して送信することを目的とするもの（以下、グリーティング画像という）や、携帯端末に送信された画像を、通信ネットワーク（インターネット）を介してやりとりされるテキストデータ（メールやブログ）に添付される装飾画像（デコ画像）として用いることを目的とするもの（以下、デコ素材画像という）等がある。携帯送信後利用画像には、携帯送信後利用画像用の合成用画像が合成されている。
【０３２６】
ここで、図４０を参照して、上述した処理において、携帯送信後利用画像のうちのデコ素材画像が選択画像として選択された場合に得られる、印刷済みのシール紙について説明する。
【０３２７】
図４０に示されるように、シール紙７６１は、上述のレイアウトＢで印刷されたものであり、６枚の編集済み画像７７１−１乃至７７１−６に加え、利用者に選択された選択画像７７２が配置されている。また、図４０のシール紙７６１には、デザイン画像の一部として、図柄７７３が、編集済み画像７７１−１乃至７７１−６および選択画像７７２が配置される領域以外の領域に印刷されている。
【０３２８】
図４０のシール紙７６１においては、編集済み画像７７１−１に携帯送信後利用画像（デコ素材画像）用の合成用画像が合成されたデコ素材画像が選択画像７７２となっている。選択画像７７２には、「HAPPY NEW YEAR!」の文言を含む、お正月に関する図柄が合成用画像として合成されている。したがって、シール紙７６１に印刷されるデザイン画像として、お正月に関連する図柄７７３が印刷されるようになる。
【０３２９】
図４１は、シール紙７６１に印刷される選択画像７７２および図柄７７３のバリエーションを示している。
【０３３０】
図４０と同様に、図４１のシール紙７６１ａにおいて、選択画像７７２ａには、「入学おめでとう！」の文言を含む、入学式に関する図柄が合成用画像として合成されている。したがって、シール紙７６１ａに印刷されるデザイン画像として、入学式に関連する図柄７７３ａが印刷されるようになる。
【０３３１】
図４１のシール紙７６１ｂにおいて、選択画像７７２ｂには、「おかあさんありがとう」の文言を含む、母の日に関する図柄が合成用画像として合成されている。したがって、シール紙７６１ｂに印刷されるデザイン画像として、母の日に関連する図柄７７３ｂが印刷されるようになる。
【０３３２】
図４１のシール紙７６１ｃにおいて、選択画像７７２ｃには、「HAPPY Halloween」の文言を含む、ハロウィンに関する図柄が合成用画像として合成されている。したがって、シール紙７６１ｃに印刷されるデザイン画像として、ハロウィンに関連する図柄７７３ｃが印刷されるようになる。
【０３３３】
図４１のシール紙７６１ｄにおいて、選択画像７７２ｄには、「Merry Christmas」の文言を含む、クリスマスに関する図柄が合成用画像として合成されている。したがって、シール紙７６１ｄに印刷されるデザイン画像として、クリスマスに関連する図柄７７３ｄが印刷されるようになる。
【０３３４】
このようにして、写真シールには、利用者が選択した携帯送信後利用画像が、その携帯送信後利用画像に応じたデザイン画像とともに印刷されるようになる。
【０３３５】
ところで、左右の利用者それぞれに対して、タブレット内蔵モニタ１３１に表示されるデザイン画像選択画面において、左右の利用者によって、それぞれレイアウトＢのデザイン画像が選択された場合には、それぞれのデザイン画像に関連性を持たせるようにしてもよい。具体的には、それぞれのデザイン画像の色や図柄、文言を、同一のものとしてもよいし、互いに対称的なものとなるようにしてもよい。
【０３３６】
さらに、図２５以降の図面を参照して説明した処理においては、編集済み画像（印刷画像）の縦横比は、略1.2：１に限らず、１：１や√２：１等、他の縦横比であってもよいものとする。
【０３３７】
＜第２の実施の形態＞
［写真シール作成装置の外観構成］
図４２は、写真シール作成装置１の外観の他の構成例を示す斜視図である。上述した構成と同じ構成には同じ符号を付してある。
【０３３８】
図４２に示すように、写真シール作成装置１は、主に、撮影ユニット１１、編集部１２、および事中接客部９０１から構成される。編集部１２と事中接客部９０１が接した状態で設置され、撮影ユニット１１は、編集部１２と事中接客部９０１から離れた位置に設置される。
【０３３９】
撮影ユニット１１は、撮影部２１と背景部２２から構成される。撮影部２１と背景部２２は所定の距離だけ離れて設置され、撮影部２１と背景部２２の間に形成される撮影空間において撮影処理が行われる。
【０３４０】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【０３４１】
背景部２２は、正面を向いて撮影処理を行っている利用者の背面側に位置する板状の部材である背面パネル５１から構成される。背景部２２の上部には、背面パネル５１に支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。なお、複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【０３４２】
撮影部２１の左側面を構成する側面パネル４２Ａの上部と背景カーテンユニット２５は、板状の部材である連結部２３Ａによって連結される。また、撮影部２１の右側面を構成する側面パネル４２Ｂの上部と背景カーテンユニット２５は、板状の部材である連結部２３Ｂによって連結される。
【０３４３】
撮影部２１の側面パネル４２Ａ、連結部２３Ａ、および背景部２２の背面パネル５１に囲まれることによって形成される開口が撮影空間の出入り口Ｇ１となる。撮影部２１の側面パネル４２Ｂ、連結部２３Ｂ、および背景部２２の背面パネル５１に囲まれることによって形成される開口も撮影空間の出入り口Ｇ２となる。
【０３４４】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【０３４５】
正面パネル４１の背面側には、所定の距離だけ離れた位置に、正面パネル４１の背面に対して正面が向くように事中接客部９０１が設けられる。事中接客部９０１は、事中接客処理を利用者に行わせる装置である。事中接客処理として、上述した被写体の画像処理が行われる。図４２の写真シール作成装置１の利用者は、撮影処理に含まれる本撮影処理と被写体の画像処理のうち、本撮影処理のみを撮影空間で行い、被写体の画像処理については、事中接客部９０１の正面前方に形成される事中接客空間で行うことになる。
【０３４６】
事中接客部９０１は、所定の厚さを有する板状の筐体を有しており、その背面が編集部１２の右側面に接するように編集部１２に連結して設けられる。事中接客部９０１の正面には、事中接客処理時に利用者により用いられるタブレット内蔵モニタが設けられる。
【０３４７】
事中接客部９０１の上方には連結レール９０２が取り付けられる。連結レールは３本のレール９０２Ａ乃至９０２Ｃを組み合わせて構成される。レール９０２Ａの一端は連結部２３Ａに固定され、他端は、レール９０２Ａの延長上にあるカーテンレール２６のレール２６Ａと接合される。レール９０２Ｂの一端は連結部２３Ｂに固定され、他端は、レール３０２Ｂの延長上にあるカーテンレール２６のレール２６Ｂと接合される。レール９０２Ｃの一端は、レール９０２Ａとレール２６Ａの接合部に接合され、他端は、レール９０２Ｂとレール２６Ｂの接合部に接合される。
【０３４８】
図４２に示す編集部１２の構成を正面側の構成とすると、レール９０２Ｃには、事中接客空間と編集部１２の正面側の編集空間とを仕切る仕切りカーテン９０３Ａ、および、事中接客空間と編集部１２の背面側の編集空間とを仕切る仕切りカーテン９０３Ｂが取り付けられる。仕切りカーテン９０３Ａと９０３Ｂは、事中接客部９０１の正面とほぼ平行に取り付けられる。
【０３４９】
事中接客空間と編集空間を仕切るカーテンが事中接客部９０１の正面とほぼ平行に取り付けられることにより、事中接客部９０１の正面に設けられるタブレット内蔵モニタ１６１などを用いて事中接客処理を終えた利用者は、その向きのまま、編集空間に移動することができる。また、仕切りカーテン９０３Ａと９０３Ｂを、各空間にいる利用者の足元が見える高さに取り付けることによって、編集空間への移動を容易に行わせることができる。仕切りカーテン９０３Ａと９０３Ｂの代わりに、事中接客空間と編集空間を仕切るパネルを設けてもよい。
【０３５０】
編集部１２は、撮影処理によって得られた画像を編集する処理である編集処理を利用者に行わせる装置である。編集部１２には、編集処理時に利用者により用いられるタブレット内蔵モニタなどの構成が設けられる。２組の利用者が同時に編集処理を行うことができるように、編集部１２の正面側と背面側には編集処理に用いられる構成がそれぞれ設けられる。
【０３５１】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４４）が設けられる。
【０３５２】
編集部１２の上方にはカーテンレール２６が取り付けられる。カーテンレール２６は、上から見たときの形状がコの字状となるように３本のレール２６Ａ乃至２６Ｃを組み合わせて構成される。レール２６Ａの一端は、連結レールのレール９０２Ａと接合され、レール２６Ａの他端はレール２６Ｃの一端と接合される。レール２６Ｂの一端は、連結レールのレール９０２Ｂと接合され、レール２６Ｂの他端はレール２６Ｃの他端と接合される。
【０３５３】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う空間である編集空間となる。
【０３５４】
図４３は、カーテンを取り付けた状態の写真シール作成装置１の外観を示す図である。
【０３５５】
図４３に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【０３５６】
また、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【０３５７】
事中接客空間の上方に設けられるレール９０２Ａにはカーテン９１１Ａが取り付けられ、レール９０２Ｂにはカーテン９１１Ｂが取り付けられる。編集空間の上方に設けられるレール２６Ａにはカーテン９１２Ａが取り付けられ、レール２６Ｂにはカーテン９１２Ｂが取り付けられる。
【０３５８】
図４４は、図４２の写真シール作成装置１を別の角度から見た斜視図である。
【０３５９】
編集部１２の左側面７６には、撮影画像や編集済みの画像が印刷されたシール紙が排出される写真シール排出口１６４が設けられる。編集部１２の左側面７６の前方の空間が、利用者がシール紙の印刷が終わるのを待つ印刷待ち空間となる。
【０３６０】
ここで、図４２の写真シール作成装置１により提供される写真シール作成ゲームの流れと、それに伴う利用者の移動について図４５を参照して説明する。図４５は、写真シール作成装置１を上から見た平面図である。
【０３６１】
写真シール作成装置１の利用者は、白抜き矢印＃１１で示すように出入り口Ｇ１から、または白抜き矢印＃１２で示すように出入り口Ｇ２から、撮影部２１と背景部２２の間に形成された撮影空間Ａ１に入り、撮影部２１に設けられたカメラやタッチパネルモニタなど利用して撮影処理のうちの本撮影処理を行う。
【０３６２】
本撮影処理を終えた利用者は、白抜き矢印＃１３で示すように出入り口Ｇ１を使って撮影空間Ａ１から出て事中接客空間Ａ１１に移動するか、白抜き矢印＃１４で示すように出入り口Ｇ２を使って撮影空間Ａ１から出て事中接客空間Ａ１１に移動し、被写体の画像処理を行う。
【０３６３】
被写体の画像処理を終えた利用者は、白抜き矢印＃１５で示すように事中接客空間Ａ１１から出て編集空間Ａ２−１に移動するか、白抜き矢印＃１６で示すように事中接客空間Ａ１１から出て編集空間Ａ２−２に移動する。
【０３６４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、事中接客部９０１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【０３６５】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃１７で示すように編集空間Ａ２−１から印刷待ち空間Ａ１２に移動して印刷が終わるのを待つ。また、編集処理を終えた利用者は、編集空間Ａ２−２で編集処理を行っていた場合には白抜き矢印＃１８で示すように編集空間Ａ２−２から印刷待ち空間Ａ１２に移動し、印刷待ち空間Ａ１２において印刷が終わるのを待つ。
【０３６６】
画像の印刷が終了したとき、利用者は、編集部１２の左側面７６に設けられた写真シール排出口１６４からシール紙を受け取り、一連の写真シール作成ゲームを終えることになる。
【０３６７】
このように、事中接客空間Ａ１１を設け、被写体の画像処理を、本撮影処理を行う撮影空間Ａ１とは別の空間である事中接客空間Ａ１１で行わせることにより、被写体の画像処理を利用者に集中して行わせることが可能になる。また、撮影空間Ａ１では本撮影処理のみを行わせることにより、本撮影処理にも利用者を集中させることが可能になる。
【０３６８】
本撮影処理と被写体の画像処理を撮影空間Ａ１で行わせ、編集対象画像の選択などの、撮影画像の編集前の処理を事中接客空間Ａ１１で行わせるようにしてもよい。本撮影処理と他の処理を撮影空間Ａ１で行わせる場合、図１１を参照して説明したようにして撮影空間Ａ１内の明るさを調整してもよい。
【０３６９】
［各装置の構成］
次に、各装置の構成について説明する。撮影部２１の正面の構成は図５および図６に示す構成と同じである。また、背景部２２の撮影空間Ａ１側の構成は図７に示す構成と同じである。
【０３７０】
図４６は、編集部１２の正面側（編集空間Ａ２−１側）の構成例を示す図である。
【０３７１】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【０３７２】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【０３７３】
編集部１２の右側には事中接客部９０１が設けられる。
【０３７４】
図４７は、編集部１２の左側面の構成例を示す図である。
【０３７５】
編集部１２の左側面７６には写真シール排出口１６４が設けられる。写真シール排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【０３７６】
編集空間Ａ２−２側の斜面７７には、斜面７２に設けられる図４６の構成と同じ構成が設けられる。
【０３７７】
図４８は、事中接客部９０１の正面の構成例を示す図である。
【０３７８】
事中接客部９０１の構成は、写真シール排出口１６４が設けられていない点を除いて事後接客部１３の構成と同じである。事中接客部９０１の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。
【０３７９】
タブレット内蔵モニタ１６１の下には非接触型ICリーダ／ライタ１６３が設けられ、非接触型ICリーダ／ライタ１６３の下方にはスピーカ１６５が設けられる。非接触型ICリーダ／ライタ１６３は、近接された非接触型ICと通信を行い、非接触型ICからのデータの読み出しや非接触型ICに対するデータの書き込みを行う。スピーカ１６５は、事中接客処理の案内音声、BGM、効果音等の音を出力する。
【０３８０】
［写真シール作成装置の内部構成］
図４９は、図４２の写真シール作成装置１の内部の構成例を示すブロック図である。図１０を参照して説明した構成と同じ構成には同じ符号を付してある。重複する説明については適宜省略する。
【０３８１】
事中接客部９５１は、事中接客空間Ａ１１における事中接客処理を行う構成であるタブレット内蔵モニタ１６１、タッチペン１６２Ａ，１６２Ｂ、非接触型ICリーダ／ライタ１６３、およびスピーカ１６５から構成される。
【０３８２】
［写真シール作成装置の動作］
ここで、図５０のフローチャートを参照して、写真シール作成ゲームを提供する図４２の写真シール作成装置１の処理について説明する。
【０３８３】
ステップＳ９０１において、写真シール作成装置１の制御部２０１は、所定の金額分の硬貨が投入されたか否かを硬貨処理部２２１から供給される信号に基づいて判定し、投入されたと判定するまで待機する。
【０３８４】
硬貨が投入されたとステップＳ９０１において判定した場合、ステップＳ９０２において、撮影処理部３０２は、撮影部２０８を制御し、撮影空間Ａ１にいる利用者を被写体として撮影する本撮影処理を行う。
【０３８５】
ステップＳ９０３において、撮影処理部３０２は、撮影空間Ａ１にいる利用者に対して、事中接客空間Ａ１１への移動を案内する。事中接客空間Ａ１１への移動の案内は、撮影部２０８のタッチパネルモニタ９３に画面を表示させることによって、または音声をスピーカ２２４から出力させることによって行われる。
【０３８６】
ステップＳ９０４において、撮影処理部３０２は、事中接客部９５１を制御し、事中接客空間Ａ１１にいる利用者による操作に応じて被写体の画像処理を行う。被写体の画像処理により、本撮影処理によって得られた撮影画像に写る利用者の目のサイズの選択と、撮影画像の明るさの選択が事中接客空間Ａ１１にいる利用者によって行われる。目のサイズの選択に用いられる選択画面と、撮影画像の明るさの調整に用いられる選択画面は事中接客部９０１のタブレット内蔵モニタ１６１に表示される。
【０３８７】
ステップＳ９０５において、制御部２０１は、事中接客空間Ａ１１にいる利用者に対して、編集空間Ａ２−１または編集空間Ａ２−２への移動を案内する。編集空間Ａ２−１または編集空間Ａ２−２への移動の案内は、事中接客部９５１のタブレット内蔵モニタ１６１に画面を表示させることによって、または音声をスピーカ１６５から出力させることによって行われる。
【０３８８】
ステップＳ９０６において、編集処理部３０３は、編集部２０９Ａまたは編集部２０９Ｂを制御し、図１４、図２４、図２５、図２７、図３１、図３４、図３６、または図３８のフローチャートを参照して説明した編集および印刷設定処理を行う。
【０３８９】
ステップＳ９０７において、編集処理部３０３は、編集空間Ａ２−１または編集空間Ａ２−２で編集処理を終えた利用者に対して印刷待ち空間Ａ１２への移動を案内する。印刷待ち空間Ａ１２への移動の案内は、タブレット内蔵モニタ１３１に画面を表示させることによって、または音声をスピーカ２３１から出力させることによって行われる。印刷待ち空間Ａ１２への移動を案内する前、事後接客処理が編集空間Ａ２−１または編集空間Ａ２−２において行われるようにしてもよい。
【０３９０】
ステップＳ９０８において、印刷処理部３０４は、図１７のフローチャートを参照して説明した印刷処理を行う。印刷処理部３０４は、利用者により選択された画像をプリンタ２４１に出力してシール紙に印刷させる。
【０３９１】
印刷が終了したとき、ステップＳ９０９において、プリンタ２４１は、画像が印刷されたシール紙を写真シール排出口１６４に排出し、処理を終了させる。
【０３９２】
なお、上述した構成において、非接触型ICリーダ／ライタ１６３は、事中接客部９０１に設けられるようにしたが、編集部１２に設けられるようにしてもよいし、図９に示されるように、事後接客部１３に設けられるようにしてもよい。
【０３９３】
ところで、上述した一連の処理は、ハードウェアにより実行させることもできるし、ソフトウェアにより実行させることもできる。上述した一連の処理をソフトウェアにより実行させる場合には、そのソフトウェアを構成するプログラムが、ネットワークや記録媒体からインストールされる。
【０３９４】
この記録媒体は、例えば、図１０に示されるように、装置本体とは別に、写真シール作成装置１の管理者にプログラムを配信するために配布される、プログラムが記録されている磁気ディスク（フレキシブルディスクを含む）、光ディスク（CD-ROMおよびDVDを含む）、光磁気ディスク（MDを含む）、もしくは半導体メモリなどよりなるリムーバブルメディア２０５により構成されるだけでなく、装置本体に予め組み込まれた状態で管理者に配信される、プログラムが記録されているROM２０６や、記憶部２０２に含まれるハードディスクなどで構成される。
【０３９５】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０３９６】
以上において、印刷媒体は、シール紙や写真紙に限られるものではなく、例えば、所定のサイズの紙やフィルム、ポスター用の紙、テレホンカードなどのカード、あるいは、Ｔシャツなどの布地などに印刷するようにしてもよい。
【符号の説明】
【０３９７】
１  写真シール作成装置
１２  編集部
２０１  制御部
２０９  編集部
３０２  撮影処理部
３０３  編集処理部
３０４  印刷処理部
３０５  事後接客処理部
３１８  分割パターン選択制御部
３１９  デザイン画像決定部
３２０  編集済み画像選択制御部
３２１  レイアウト情報生成部
【図１】
2012237959.tif 000003
【図２】
2012237959.tif 000004
【図３】
2012237959.tif 000005
【図４】
2012237959.tif 000006
【図５】
2012237959.tif 000007
【図６】
2012237959.tif 000008
【図７】
2012237959.tif 000009
【図８】
2012237959.tif 000010
【図９】
2012237959.tif 000011
【図１０】
2012237959.tif 000012
【図１１】
2012237959.tif 000013
【図１２】
2012237959.tif 000014
【図１３】
2012237959.tif 000015
【図１４】
2012237959.tif 000016
【図１５】
2012237959.tif 000017
【図１６】
2012237959.tif 000018
【図１７】
2012237959.tif 000019
【図１８】
2012237959.tif 000020
【図１９】
2012237959.tif 000021
【図２０】
2012237959.tif 000022
【図２１】
2012237959.tif 000023
【図２２】
2012237959.tif 000024
【図２３】
2012237959.tif 000025
【図２４】
2012237959.tif 000026
【図２５】
2012237959.tif 000027
【図２６】
2012237959.tif 000028
【図２７】
2012237959.tif 000029
【図２８】
2012237959.tif 000030
【図２９】
2012237959.tif 000031
【図３０】
2012237959.tif 000032
【図３１】
2012237959.tif 000033
【図３２】
2012237959.tif 000034
【図３３】
2012237959.tif 000035
【図３４】
2012237959.tif 000036
【図３５】
2012237959.tif 000037
【図３６】
2012237959.tif 000038
【図３７】
2012237959.tif 000039
【図３８】
2012237959.tif 000040
【図３９】
2012237959.tif 000041
【図４０】
2012237959.tif 000042
【図４１】
2012237959.tif 000043
【図４２】
2012237959.tif 000044
【図４３】
2012237959.tif 000045
【図４４】
2012237959.tif 000046
【図４５】
2012237959.tif 000047
【図４６】
2012237959.tif 000048
【図４７】
2012237959.tif 000049
【図４８】
2012237959.tif 000050
【図４９】
2012237959.tif 000051
【図５０】
2012237959.tif 000052
【手続補正書】
【提出日】平成23年11月29日(2011.11.29)
【手続補正１】
【補正対象書類名】明細書
【補正対象項目名】００１４
【補正方法】変更
【補正の内容】
【００１４】
本発明の一側面の写真シール作成装置は、利用者を被写体として撮影し、得られた画像に対して利用者に編集入力を行わせ、前記画像を所定のシール紙に印刷して写真シールを作成し、成果物として前記写真シールを前記利用者に提供する写真シール作成装置であって、前記シール紙において、前記利用者を被写体として撮影して得られる撮影画像が配置される領域以外の領域に印刷される領域外画像を、前記利用者の選択に応じて決定する領域外画像決定手段と、複数の前記撮影画像のうちの少なくとも１枚を前記利用者に選択させる撮影画像選択手段と、複数の前記撮影画像に加え、前記利用者に選択された少なくとも１枚の前記撮影画像の縦横比を略1.2：１として前記シール紙に配置させるとともに、前記シール紙において前記撮影画像が配置される領域以外の領域に前記領域外画像を配置させて印刷させるためのレイアウト情報を生成するレイアウト情報生成手段と、前記レイアウト情報に基づいて、前記撮影画像と前記領域外画像とを前記シール紙に印刷する印刷手段とを備える。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２２
【補正方法】変更
【補正の内容】
【００２２】
本発明の一側面の写真シール作成方法は、利用者を被写体として撮影し、得られた画像に対して利用者に編集入力を行わせ、前記画像を所定のシール紙に印刷して写真シールを作成し、成果物として前記写真シールを前記利用者に提供する写真シール作成装置の写真シール作成方法であって、前記シール紙において、前記利用者を被写体として撮影して得られる撮影画像が配置される領域以外の領域に印刷される領域外画像を、前記利用者の選択に応じて決定する領域外画像決定ステップと、複数の前記撮影画像のうちの少なくとも１枚を前記利用者に選択させる撮影画像選択ステップと、複数の前記撮影画像に加え、前記利用者に選択された少なくとも１枚の前記撮影画像の縦横比を略1.2：１として前記シール紙に配置させるとともに、前記シール紙において前記撮影画像が配置される領域以外の領域に前記領域外画像を配置させて印刷させるためのレイアウト情報を生成するレイアウト情報生成ステップと、前記レイアウト情報に基づいて、前記撮影画像と前記領域外画像とを前記シール紙に印刷する印刷ステップとを含む。
【手続補正７】
【補正対象書類名】明細書
【補正対象項目名】００２３
【補正方法】変更
【補正の内容】
【００２３】
本発明の一側面のプログラムは、利用者を被写体として撮影し、得られた画像に対して利用者に編集入力を行わせ、前記画像を所定のシール紙に印刷して写真シールを作成し、成果物として前記写真シールを前記利用者に提供する処理をコンピュータに実行させるプログラムであって、前記シール紙において、前記利用者を被写体として撮影して得られる撮影画像が配置される領域以外の領域に印刷される領域外画像を、前記利用者の選択に応じて決定する領域外画像決定ステップと、複数の前記撮影画像のうちの少なくとも１枚を前記利用者に選択させる撮影画像選択制御ステップと、複数の前記撮影画像に加え、前記利用者に選択された少なくとも１枚の前記撮影画像の縦横比を略1.2：１として前記シール紙に配置させるとともに、前記シール紙において前記撮影画像が配置される領域以外の領域に前記領域外画像を配置させて印刷させるためのレイアウト情報の生成を制御するレイアウト情報生成制御ステップと、前記レイアウト情報に基づいて、前記撮影画像と前記領域外画像との前記シール紙への印刷を制御する印刷制御ステップとを含む処理をコンピュータに実行させる。
【手続補正８】
【補正対象書類名】明細書
【補正対象項目名】００２４
【補正方法】変更
【補正の内容】
【００２４】
本発明においては、シール紙において、利用者を被写体として撮影して得られる撮影画像が配置される領域以外の領域に印刷される領域外画像が、利用者の選択に応じて決定され、複数の撮影画像のうちの少なくとも１枚が利用者に選択され、複数の撮影画像に加え、利用者に選択された少なくとも１枚の撮影画像の縦横比を略1.2：１としてシール紙に配置させるとともに、シール紙において撮影画像が配置される領域以外の領域に領域外画像を配置させて印刷させるためのレイアウト情報が生成され、レイアウト情報に基づいて、撮影画像と領域外画像とがシール紙に印刷される。
【手続補正９】
【補正対象書類名】特許請求の範囲
【補正対象項目名】全文
【補正方法】変更
【補正の内容】
【特許請求の範囲】
【請求項１】
利用者を被写体として撮影し、得られた画像に対して利用者に編集入力を行わせ、前記画像を所定のシール紙に印刷して写真シールを作成し、成果物として前記写真シールを前記利用者に提供する写真シール作成装置であって、
前記シール紙において、前記利用者を被写体として撮影して得られる撮影画像が配置される領域以外の領域に印刷される領域外画像を、前記利用者の選択に応じて決定する領域外画像決定手段と、
複数の前記撮影画像のうちの少なくとも１枚を前記利用者に選択させる撮影画像選択手段と、
複数の前記撮影画像に加え、前記利用者に選択された少なくとも１枚の前記撮影画像の縦横比を略1.2：１として前記シール紙に配置させるとともに、前記シール紙において前記撮影画像が配置される領域以外の領域に前記領域外画像を配置させて印刷させるためのレイアウト情報を生成するレイアウト情報生成手段と、
前記レイアウト情報に基づいて、前記撮影画像と前記領域外画像とを前記シール紙に印刷する印刷手段と
を備える写真シール作成装置。
【請求項２】
前記領域外画像決定手段は、前記撮影画像に合成される合成用画像の色に応じた前記領域外画像を前記利用者に選択させて決定し、
前記レイアウト情報生成手段は、前記撮影画像に前記合成用画像が合成された合成画像と前記領域外画像とを配置させて印刷させるための前記レイアウト情報を生成する
請求項１に記載の写真シール作成装置。
【請求項３】
前記領域外画像決定手段は、前記領域外画像を前記利用者に選択させる前に、前記領域外画像の色を、前記利用者に選択させる
請求項１に記載の写真シール作成装置。
【請求項４】
前記レイアウト情報生成手段は、複数の前記撮影画像の被写体の向きが同一の向きとなるように、前記撮影画像を前記シール紙に配置させて印刷させるための前記レイアウト情報を生成する
請求項１に記載の写真シール作成装置。
【請求項５】
利用者を被写体として撮影し、得られた画像に対して利用者に編集入力を行わせ、前記画像を所定のシール紙に印刷して写真シールを作成し、成果物として前記写真シールを前記利用者に提供する写真シール作成装置の写真シール作成方法であって、
前記シール紙において、前記利用者を被写体として撮影して得られる撮影画像が配置される領域以外の領域に印刷される領域外画像を、前記利用者の選択に応じて決定する領域外画像決定ステップと、
複数の前記撮影画像のうちの少なくとも１枚を前記利用者に選択させる撮影画像選択ステップと、
複数の前記撮影画像に加え、前記利用者に選択された少なくとも１枚の前記撮影画像の縦横比を略1.2：１として前記シール紙に配置させるとともに、前記シール紙において前記撮影画像が配置される領域以外の領域に前記領域外画像を配置させて印刷させるためのレイアウト情報を生成するレイアウト情報生成ステップと、
前記レイアウト情報に基づいて、前記撮影画像と前記領域外画像とを前記シール紙に印刷する印刷ステップと
を含む写真シール作成方法。
【請求項６】
利用者を被写体として撮影し、得られた画像に対して利用者に編集入力を行わせ、前記画像を所定のシール紙に印刷して写真シールを作成し、成果物として前記写真シールを前記利用者に提供する処理をコンピュータに実行させるプログラムであって、
前記シール紙において、前記利用者を被写体として撮影して得られる撮影画像が配置される領域以外の領域に印刷される領域外画像を、前記利用者の選択に応じて決定する領域外画像決定ステップと、
複数の前記撮影画像のうちの少なくとも１枚を前記利用者に選択させる撮影画像選択制御ステップと、
複数の前記撮影画像に加え、前記利用者に選択された少なくとも１枚の前記撮影画像の縦横比を略1.2：１として前記シール紙に配置させるとともに、前記シール紙において前記撮影画像が配置される領域以外の領域に前記領域外画像を配置させて印刷させるためのレイアウト情報の生成を制御するレイアウト情報生成制御ステップと、
前記レイアウト情報に基づいて、前記撮影画像と前記領域外画像との前記シール紙への印刷を制御する印刷制御ステップと
を含む処理をコンピュータに実行させるプログラム。